(57)【特許請求の範囲】
【請求項１】
モバイル通信ネットワーク検出方法であって、
サービスデータフローの送信経路上の複数のネットワークエレメントデバイスにより送信されるサービス品質情報を、ネットワークエレメント管理デバイスにより受信する段階であって、前記サービス品質情報は、前記複数のネットワークエレメントデバイスによる前記サービスデータフローの送信のサービス品質を示すのに用いられ当該サービス品質が基準閾値よりも低い場合にのみ送信され、前記複数のネットワークエレメントデバイスは、基地局デバイス及びコアネットワークデバイスを含む、受信する段階と、
前記複数のネットワークエレメントデバイスにより送信される前記サービス品質情報に従って、前記ネットワークエレメント管理デバイスにより前記サービスデータフローの前記送信経路のサービス品質を判断する段階と、
を備える、
方法。
【請求項２】
サービスデータフローの送信経路上の複数のネットワークエレメントデバイスにより送信されるサービス品質情報を受信する受信モジュールであって、前記サービス品質情報は、前記複数のネットワークエレメントデバイスによる前記サービスデータフローの送信のサービス品質を示すのに用いられ当該サービス品質が基準閾値よりも低い場合にのみ送信され、前記複数のネットワークエレメントデバイスは、基地局デバイス及びコアネットワークデバイスを含む、受信モジュールと、
前記複数のネットワークエレメントデバイスにより送信される前記サービス品質情報に従って、前記サービスデータフローの前記送信経路のサービス品質を判断する処理モジュールと、
を備える、
モバイル通信ネットワーク検出装置。
【請求項３】
前記サービスデータフローがアップリンクデータフローである場合、前記基地局デバイスにより送信される前記サービス品質情報は、前記サービスデータフローを伝達する受信済みパケットデータコンバージェンスプロトコルＰＤＣＰデータパケットのサービス品質情報である、
請求項２に記載のモバイル通信ネットワーク検出装置。
【請求項４】
前記サービスデータフローがダウンリンクデータフローである場合、前記基地局デバイスにより送信される前記サービス品質情報は、前記サービスデータフローを伝達する受信済み汎用パケット無線サービストンネリングプロトコルＧＴＰデータパケットのサービス品質情報、及び前記サービスデータフローを伝達する送信済みＰＤＣＰデータパケットのサービス品質情報である、
請求項２又は３に記載のモバイル通信ネットワーク検出装置。
【請求項５】
前記コアネットワークデバイスにより送信される前記サービス品質情報は、前記サービスデータフローを伝達する受信済みＧＴＰデータパケットの前記サービス品質情報である、
請求項２から４の何れか一項に記載のモバイル通信ネットワーク検出装置。
【請求項６】
前記サービスデータフローがアップリンクデータフローである場合、前記基地局デバイス及び前記コアネットワークデバイスにより送信される前記サービス品質情報は、前記サービスデータフローを伝達する、サービスプロトコルの受信済みデータパケットのサービス品質情報であり、
前記サービスプロトコルは、前記サービスデータフローのサービス属性に基づいている、
請求項５に記載のモバイル通信ネットワーク検出装置。
【請求項７】
前記サービスデータフローがダウンリンクデータフローである場合、前記基地局デバイスにより送信される前記サービス品質情報は、前記サービスデータフローを伝達する、サービスプロトコルの複数の送受信済みデータパケットのサービス品質情報であり、前記コアネットワークデバイスにより送信される前記サービス品質情報は、前記サービスデータフローを伝達する、前記サービスプロトコルの前記受信済みデータパケットのサービス品質情報であり、
前記サービスプロトコルは、前記サービスデータフローのサービス属性に基づいている、
請求項２又は６に記載のモバイル通信ネットワーク検出装置。
【請求項８】
前記サービスプロトコルは、リアルタイムトランスポートプロトコルＲＴＰを含む、
請求項６又は７に記載のモバイル通信ネットワーク検出装置。
【請求項９】
前記処理モジュールは特に、前記複数のネットワークエレメントデバイスにより送信される前記サービス品質情報に従って、前記サービスデータフローの前記送信経路上で最も低いサービス品質を有するネットワークエレメントデバイスを判断する、
請求項２から８の何れか一項に記載のモバイル通信ネットワーク検出装置。
【請求項１０】
前記複数のネットワークエレメントデバイスにより送信される前記サービス品質情報に従って、統計ダイアグラムを生成する生成モジュールをさらに備え、
前記統計ダイアグラムは、前記送信経路の前記サービス品質の変化状況を示すのに用いられる、
請求項２から９の何れか一項に記載のモバイル通信ネットワーク検出装置。
【請求項１１】
前記複数のネットワークエレメントデバイスに検出指標情報を送信する送信モジュールをさらに備え、
前記検出指標情報は、前記複数のネットワークエレメントデバイスによる前記サービスデータフローの前記送信の前記サービス品質の検出を示すのに用いられる、
請求項２から１０の何れか一項に記載のモバイル通信ネットワーク検出装置。
【請求項１２】
前記送信モジュールは特に、前記検出指標情報を含むエンドツーエンドトレースセッション起動シグナリングをネットワーク制御ネットワークエレメントに送信し、これにより、前記ネットワーク制御ネットワークエレメントは、前記検出指標情報を前記複数のネットワークエレメントデバイスに送信する、又は、
エンドツーエンドトレースセッション起動シグナリングをホーム加入者サーバに送信し、これにより、前記ホーム加入者サーバが前記検出指標情報をネットワーク制御ネットワークエレメントに送信した後に、前記ネットワーク制御ネットワークエレメントは前記検出指標情報を前記複数のネットワークエレメントデバイスに送信する、
請求項１１に記載のモバイル通信ネットワーク検出装置。
【請求項１３】
前記エンドツーエンドトレースセッション起動シグナリングは、検出されるネットワークエレメントデバイスについての情報をさらに含み、これにより、前記ネットワーク制御ネットワークエレメントは、検出される前記ネットワークエレメントデバイスに前記検出指標情報を送信する、
請求項１２に記載のモバイル通信ネットワーク検出装置。
【請求項１４】
前記エンドツーエンドトレースセッション起動シグナリングはジョブタイプ情報要素をさらに含み、前記ジョブタイプ情報要素は、トレースシグナリングメッセージ及び前記サービス品質情報のうち少なくとも１つを前記モバイル通信ネットワーク検出装置に送信するよう前記複数のネットワークエレメントデバイスに命令するのに用いられる、
請求項１２又は１３に記載のモバイル通信ネットワーク検出装置。
【請求項１５】
前記コアネットワークデバイスは、サービングゲートウェイ及びデータゲートウェイを含む、
請求項２から１４の何れか一項に記載のモバイル通信ネットワーク検出装置。
【発明の詳細な説明】
【技術分野】
【０００１】
本発明の複数の実施形態は複数の通信技術に関し、特に、モバイル通信ネットワーク検出方法及び装置に関する。
【背景技術】
【０００２】
将来のネットワークの競争力を高めるべく、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）は、システムアーキテクチャエボリューション（Ｓｙｓｔｅｍ  Ａｒｃｈｉｔｅｃｔｕｒｅ  Ｅｖｏｌｕｔｉｏｎ、ＳＡＥ）システムという名称の全く新しい発展型ネットワークを始めている。
【０００３】
ＳＡＥシステムのアーキテクチャは、複数の様々な領域及びデバイスに広がっているので、ＳＡＥシステムのサービスも様々な領域の様々なデバイスに広がっている。しかしながら、ＳＡＥシステムのネットワーク運用・保守は、単一のネットワークエレメントの保守に基づいた基本レベルにまだ留まっており、単一のデバイスの運用・保守はエレメント管理システム（Ｅｌｅｍｅｎｔ  Ｍａｎａｇｅｍｅｎｔ  Ｓｙｓｔｅｍ、ＥＭＳ）により提供されている。この単一のネットワークエレメントに基づいた運用・保守方式では、既に運用・保守の必要性を満たすことができない。ネットワーク運用・保守のレベルを改善すべく、エンドツーエンド（Ｅｎｄ  ｔｏ  Ｅｎｄ、Ｅ２Ｅ）に基づいた視覚的運用・保守が潜在的な必要性になるであろう。
【０００４】
３ＧＰＰ規格は、ネットワーク全体のトレース、すなわちＥ２Ｅトレース（Ｅ２Ｅ  Ｔｒａｃｅ）の機能を定め、これにより、シグナリングプロシージャのトレースが提供される。Ｅ２Ｅトレースは、サービスアクセス及びサービス保守の局面で運用・保守診断に用いられ得る。これにより、シグナリングプロシージャのＥ２Ｅ視覚的運用・保守が実装される。しかしながら、ユーザサービスの完全性の体験に関する問題、例えば、パケット損失が音声通話中断、さらには無音をもたらすという問題では、トレースされたユーザーパケットをネットワークエレメント内で取り込む、又はインタフェースプローブを用いてネットワークエレメント外でパケットを取り込み、解析を実行するなどの技術的手段が、ネットワークエレメント及びインタフェースを１つ１つ調べて診断するのに用いられる必要がある。ネットワークエレメント又はインタフェースを１つ１つ除外する方式は時間がかかり厄介であり、問題を発見するのに比較的長い時間を必要とする。これにより、運用・保守効率は比較的低くなる。
【発明の概要】
【０００５】
本発明の複数の実施形態は、モバイル通信ネットワーク検出方法及び装置を提供し、これは、サービス送信のサービス品質を効率的に検出するのに用いられる。ネットワーク運用・保守方法を第１態様が提供し、これには以下の複数の段階が含まれる。
【０００６】
サービスデータフローの送信経路上の複数のネットワークエレメントデバイスにより送信されたサービス品質情報を、ネットワークエレメント管理デバイスにより受信する段階であり、サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。そして、複数のネットワークエレメントデバイスにより送信されたサービス品質情報に従って、ネットワークエレメント管理デバイスによりサービスデータフローの送信経路のサービス品質を判断する段階である。
【０００７】
第１態様の第１の可能な実装態様では、サービスデータフローがアップリンクデータフローである場合、基地局デバイスにより送信されるサービス品質情報は、サービスデータフローを伝達する受信済みＰＤＣＰデータパケットのサービス品質情報である。
【０００８】
第１態様又は第１態様の第１の可能な実装態様に関連して、第２の可能な実装態様では、サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【０００９】
第１態様から第１態様の第２の可能な実装態様までの任意の可能な実装態様に関連して、第３の可能な実装態様では、コアネットワークデバイスにより送信されるサービス品質情報は、サービスデータフローを伝達する受信済みＧＴＰデータパケットのサービス品質情報である。
【００１０】
第１態様の第４の可能な実装態様では、サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルは、サービスデータフローのサービス属性に基づいている。
【００１１】
第１態様又は第１態様の第４の可能な実装態様に関連して、第５の可能な実装態様では、サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【００１２】
第１態様の第４又は第５の可能な実装態様に関連して、第６の可能な実装態様では、サービスプロトコルはＲＴＰを含む。
【００１３】
第１態様から第１態様の第６の可能な実装態様までの任意の可能な実装態様に関連して、第７の可能な実装態様では、複数のネットワークエレメントデバイスにより送信されるサービス品質情報に従って、ネットワークエレメント管理デバイスによりサービスデータフローの送信経路のサービス品質を判断する段階は、以下の段階を含む。複数のネットワークエレメントデバイスにより送信されるサービス品質情報に従って、ネットワークエレメント管理デバイスにより、サービスデータフローの送信経路上で最も低いサービス品質を有するネットワークエレメントデバイスを判断する段階である。
【００１４】
第１態様から第１態様の第７の可能な実装態様までの任意の可能な実装態様に関連して、第８の可能な実装態様では、本方法はさらに以下の段階を含む。複数のネットワークエレメントデバイスにより送信されるサービス品質情報に従って、ネットワークエレメント管理デバイスにより統計ダイアグラムを生成する段階であり、統計ダイアグラムは、送信経路のサービス品質の変化状況を示すのに用いられる。
【００１５】
第１態様から第１態様の第８の可能な実装態様までの任意の可能な実装態様に関連して、第９の可能な実装態様では、本方法はさらに以下の段階を含む。ネットワークエレメント管理デバイスにより、検出指標情報を複数のネットワークエレメントデバイスに送信する段階であり、検出指標情報は、複数のネットワークエレメントデバイスによるサービスデータフローの送信のサービス品質の検出を示すのに用いられる。
【００１６】
第１態様の第９の可能な実装態様に関連して、第１０の可能な実装態様では、ネットワークエレメント管理デバイスにより、検出指標情報を複数のネットワークエレメントデバイスに送信する段階は、以下の段階を含む。ネットワークエレメント管理デバイスにより、エンドツーエンドトレースセッション起動シグナリングをネットワーク制御ネットワークエレメントに送信する段階であり、エンドツーエンドトレースセッション起動シグナリングは検出指標情報を含み、これにより、ネットワーク制御ネットワークエレメントは、検出指標情報を複数のネットワークエレメントデバイスに送信する。又は、ネットワークエレメント管理デバイスにより、エンドツーエンドトレースセッション起動シグナリングをホーム加入者サーバに送信する段階であり、これにより、ホーム加入者サーバが検出指標情報をネットワーク制御ネットワークエレメントに送信した後に、ネットワーク制御ネットワークエレメントは検出指標情報を複数のネットワークエレメントデバイスに送信する。
【００１７】
第１態様の第１０の可能な実装態様に関連して、第１１の可能な実装態様では、エンドツーエンドトレースセッション起動シグナリングは、検出されるネットワークエレメントデバイスについての情報をさらに含み、これにより、ネットワーク制御ネットワークエレメントは検出されるネットワークエレメントデバイスに検出指標情報を送信する。
【００１８】
第１態様の第１０又は第１１の可能な実装態様に関連して、第１２の可能な実装態様では、エンドツーエンドトレースセッション起動シグナリングはジョブタイプ情報要素をさらに含み、ジョブタイプ情報要素は、トレースシグナリングメッセージ及び／又は検出指標情報をネットワークエレメント管理デバイスに送信するよう、複数のネットワークエレメントデバイスに命令するのに用いられる。
【００１９】
第１態様から第１態様の第１２の可能な実装態様までの任意の可能な実装態様に関連して、第１３の可能な実装態様では、コアネットワークデバイスはサービングゲートウェイ及びデータゲートウェイを含む。
【００２０】
第１態様から第１態様の第１３の可能な実装態様までの任意の可能な実装態様に関連して、第１４の可能な実装態様では、サービス品質情報は、データパケットのパケット損失率、ジッタ、遅延、又はＭＯＳ値を含む。
【００２１】
モバイル通信ネットワーク検出装置を第２態様が提供し、これには以下の複数のモジュールが含まれる。サービスデータフローの送信経路上の複数のネットワークエレメントデバイスにより送信されるサービス品質情報を受信するよう構成された受信モジュールであり、サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。複数のネットワークエレメントデバイスにより送信されるサービス品質情報に従って、サービスデータフローの送信経路のサービス品質を判断するよう構成された処理モジュールである。
【００２２】
第２態様の第１の可能な実装態様では、サービスデータフローがアップリンクデータフローである場合、基地局デバイスにより送信されるサービス品質情報は、サービスデータフローを伝達する受信済みＰＤＣＰデータパケットのサービス品質情報である。
【００２３】
第２態様又は第２態様の第１の可能な実装態様に関連して、第２の可能な実装態様では、サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【００２４】
第２態様から第２態様の第２の可能な実装態様までの任意の可能な実装態様に関連して、第３の可能な実装態様では、コアネットワークデバイスにより送信されるサービス品質情報は、サービスデータフローを伝達する受信済みＧＴＰデータパケットのサービス品質情報である。
【００２５】
第２態様の第４の可能な実装態様では、サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルは、サービスデータフローのサービス属性に基づいている。
【００２６】
第２態様又は第２態様の第４の可能な実装態様に関連して、第５の可能な実装態様では、サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【００２７】
第２態様の第４又は第５の可能な実装態様に関連して、第６の可能な実装態様では、サービスプロトコルはＲＴＰを含む。
【００２８】
第２態様から第２態様の第６の可能な実装態様までの任意の可能な実装態様に関連して、第７の可能な実装態様では、処理モジュールは、複数のネットワークエレメントデバイスにより送信されるサービス品質情報に従って、サービスデータフローの送信経路上で最も低いサービス品質を有するネットワークエレメントデバイスを判断するよう特に構成される。
【００２９】
第２態様から第２態様の第７の可能な実装態様までの任意の可能な実装態様に関連して、第８の可能な実装態様では、モバイル通信ネットワーク検出装置は以下のモジュールをさらに含む。複数のネットワークエレメントデバイスにより送信されるサービス品質情報に従って、統計ダイアグラムを生成するよう構成された生成モジュールであり、統計ダイアグラムは、送信経路のサービス品質の変化状況を示すのに用いられる。
【００３０】
第２態様から第２態様の第８の可能な実装態様までの任意の可能な実装態様に関連して、第９の可能な実装態様では、モバイル通信ネットワーク検出装置は、以下のモジュールをさらに含む。複数のネットワークエレメントデバイスに検出指標情報を送信するよう構成された送信モジュールであり、検出指標情報は、複数のネットワークエレメントデバイスによるサービスデータフローの送信のサービス品質の検出を示すのに用いられる。
【００３１】
第２態様の第９の可能な実装態様に関連して、第１０の可能な実装態様では、送信モジュールは、検出指標情報を含むエンドツーエンドトレースセッション起動シグナリングをネットワーク制御ネットワークエレメントに送信し、これにより、ネットワーク制御ネットワークエレメントは、検出指標情報を複数のネットワークエレメントデバイスに送信する、又はエンドツーエンドトレースセッション起動シグナリングをホーム加入者サーバに送信し、これにより、ホーム加入者サーバが検出指標情報をネットワーク制御ネットワークエレメントに送信した後に、ネットワーク制御ネットワークエレメントは検出指標情報を複数のネットワークエレメントデバイスに送信するよう特に構成される。
【００３２】
第２態様の第１０の可能な実装態様に関連して、第１１の可能な実装態様では、エンドツーエンドトレースセッション起動シグナリングは、検出されるネットワークエレメントデバイスについての情報をさらに含み、これにより、ネットワーク制御ネットワークエレメントは検出されるネットワークエレメントデバイスに検出指標情報を送信する。
【００３３】
第２態様の第１０又は第１１の可能な実装態様に関連して、第１２の可能な実装態様では、エンドツーエンドトレースセッション起動シグナリングはジョブタイプ情報要素をさらに含み、ジョブタイプ情報要素は、トレースシグナリングメッセージ及び／又は検出指標情報をネットワークエレメント管理デバイスに送信するよう複数のネットワークエレメントデバイスに命令するのに用いられる。
【００３４】
第２態様から第２態様の第１２の可能な実装態様までの任意の可能な実装態様に関連して、第１３の可能な実装態様では、コアネットワークデバイスは、サービングゲートウェイ及びデータゲートウェイを含む。
【００３５】
第２態様から第２態様の第１３の可能な実装態様までの任意の可能な実装態様に関連して、第１４の可能な実装態様では、サービス品質情報は、データパケットのパケット損失率、ジッタ、遅延、又はＭＯＳ値を含む。
【００３６】
モバイル通信ネットワーク検出装置を第３態様が提供し、これには以下の複数のものが含まれる。サービスデータフローの送信経路上の複数のネットワークエレメントデバイスにより送信されるサービス品質情報を受信するよう構成された受信機であり、サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。そして、複数のネットワークエレメントデバイスにより送信され受信機により受信されるサービス品質情報に従って、サービスデータフローの送信経路のサービス品質を判断するよう構成されたプロセッサである。
【００３７】
第３態様の第１の可能な実装態様では、サービスデータフローがアップリンクデータフローである場合、基地局デバイスにより送信されるサービス品質情報は、サービスデータフローを伝達する受信済みＰＤＣＰデータパケットのサービス品質情報である。
【００３８】
第３態様又は第３態様の第１の可能な実装態様に関連して、第２の可能な実装態様では、サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【００３９】
第３態様から第３態様の第２の可能な実装態様までの任意の可能な実装態様に関連して、第３の可能な実装態様では、コアネットワークデバイスにより送信されるサービス品質情報は、サービスデータフローを伝達する受信済みＧＴＰデータパケットのサービス品質情報である。
【００４０】
第３態様の第４の可能な実装態様では、サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルはサービスデータフローのサービス属性に基づいている。
【００４１】
第３態様又は第３態様の第４の可能な実装態様に関連して、第５の可能な実装態様では、サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【００４２】
第３態様の第４又は第５の可能な実装態様に関連して、第６の可能な実装態様では、サービスプロトコルはＲＴＰを含む。
【００４３】
第３態様から第３態様の第６の可能な実装態様までの任意の可能な実装態様に関連して、第７の可能な実装態様では、プロセッサは、複数のネットワークエレメントデバイスにより送信され受信機により受信されるサービス品質情報に従って、サービスデータフローの送信経路上で最も低いサービス品質を有するネットワークエレメントデバイスを判断するよう特に構成される。
【００４４】
第３態様から第３態様の第７の可能な実装態様までの任意の可能な実装態様に関連して、第８の可能な実装態様では、プロセッサは、複数のネットワークエレメントデバイスにより送信され受信機により受信されるサービス品質情報に従って、統計ダイアグラムを生成するようさらに構成され、統計ダイアグラムは、送信経路のサービス品質の変化状況を示すのに用いられる。
【００４５】
第３態様から第３態様の第８の可能な実装態様までの任意の可能な実装態様に関連して、第９の可能な実装態様では、モバイル通信ネットワーク検出装置は、以下のものをさらに含む。複数のネットワークエレメントデバイスに検出指標情報を送信するよう構成された送信機であり、検出指標情報は、複数のネットワークエレメントデバイスによるサービスデータフローの送信のサービス品質の検出を示すのに用いられる。
【００４６】
第３態様の第９の可能な実装態様に関連して、第１０の可能な実装態様では、送信機は、検出指標情報を含むエンドツーエンドトレースセッション起動シグナリングをネットワーク制御ネットワークエレメントに送信し、これにより、ネットワーク制御ネットワークエレメントは検出指標情報を複数のネットワークエレメントデバイスに送信する、又はエンドツーエンドトレースセッション起動シグナリングをホーム加入者サーバに送信し、これにより、ホーム加入者サーバが検出指標情報をネットワーク制御ネットワークエレメントに送信した後に、ネットワーク制御ネットワークエレメントは検出指標情報を複数のネットワークエレメントデバイスに送信するよう特に構成される。
【００４７】
第３態様の第１０の可能な実装態様に関連して、第１１の可能な実装態様では、エンドツーエンドトレースセッション起動シグナリングは、検出されるネットワークエレメントデバイスについての情報をさらに含み、これにより、ネットワーク制御ネットワークエレメントは検出されるネットワークエレメントデバイスに検出指標情報を送信する。
【００４８】
第３態様の第１０又は第１１の可能な実装態様に関連して、第１２の可能な実装態様では、エンドツーエンドトレースセッション起動シグナリングは、ジョブタイプ情報要素をさらに含み、ジョブタイプ情報要素は、トレースシグナリングメッセージ及び／又は検出指標情報をネットワークエレメント管理デバイスに送信するよう複数のネットワークエレメントデバイスに命令するのに用いられる。
【００４９】
第３態様から第３態様の第１２の可能な実装態様までの任意の可能な実装態様に関連して、第１３の可能な実装態様では、コアネットワークデバイスは、サービングゲートウェイ及びデータゲートウェイを含む。
【００５０】
第３態様から第３態様の第１３の可能な実装態様までの任意の可能な実装態様に関連して、第１４の可能な実装態様では、サービス品質情報は、データパケットのパケット損失率、ジッタ、遅延、又はＭＯＳ値を含む。
【００５１】
本発明の複数の実施形態において提供されるモバイル通信ネットワーク検出方法及び装置の場合、エレメント管理システムが、サービスデータフローの送信経路上の複数のネットワークエレメントデバイスにより送信されるサービス品質情報を受信し、サービスデータフローを送信する。これにより、エレメント管理システムは、複数のネットワークエレメントデバイスによるサービスデータフローの送信のサービス品質情報を比較することで、サービスデータフローの送信のサービス品質を迅速に検出し得る。これにより、問題の迅速な発見を容易にし、サービス体験に関する運用・保守効率を改善し、運用・保守費用を低減させる。
【図面の簡単な説明】
【００５２】
本発明の複数の実施形態又は先行技術の複数の技術的解決手段をより明確に説明すべく、複数の実施形態又は先行技術を説明するに必要とされる複数の添付図面を以下に簡潔に紹介する。以下の説明における複数の添付図面は、本発明のいくつかの実施形態を示しており、これらの添付図面から他の図面を当業者が創造的努力をすることなくさらに導き出し得ることは明らかである。
【００５３】
【図１】ＳＡＥシステムにおけるＬＴＥネットワークのアーキテクチャの模式図である。
【００５４】
【図２】Ｅ２Ｅサービスシグナリングの送信経路及びメディアプレーンの模式図である。
【００５５】
【図３】ＬＴＥネットワーク及びＩＭＳネットワークにおけるＥ２Ｅトレースのアーキテクチャの模式図である。
【００５６】
【図４】Ｇ／ＵネットワークにおけるＥ２Ｅトレースのアーキテクチャの模式図である。
【００５７】
【図５】トレースされたユーザーパケットをネットワークエレメント内で取り込み、インタフェースプローブを用いてネットワークエレメント外でパケットを取り込む模式図である。
【００５８】
【図６】本発明の一実施形態に従ったモバイル通信ネットワーク検出方法の実施形態１のフローチャートである。
【００５９】
【図７】サービスデータフローのベアラ属性に基づいて、ネットワークのサービス品質情報を検出するシグナリングフローチャートである。
【００６０】
【図８】サービスアプリケーション属性に基づいて、ネットワークのサービス品質情報を検出するシグナリングフローチャートである。
【００６１】
【図９】ユーザがＬＴＥネットワークのＭＭＥにアクセスしようとしている状況における、ＩＰＱｏＳ検出指標情報のシグナリング送信のフローチャートである。
【００６２】
【図１０】ユーザがＬＴＥネットワークのＭＭＥにアクセスしている状況における、ＩＰＱｏＳ検出指標情報のシグナリング送信のフローチャートである。
【００６３】
【図１１】本発明の一実施形態に従ったモバイル通信ネットワーク検出装置の実施形態１の概略構造図である。
【００６４】
【図１２】本発明の一実施形態に従ったモバイル通信ネットワーク検出装置の実施形態２の概略構造図である。
【００６５】
【図１３】本発明の一実施形態に従ったモバイル通信ネットワーク検出装置の実施形態３の概略構造図である。
【００６６】
【図１４】本発明の一実施形態に従ったモバイル通信ネットワーク検出装置の実施形態４の概略構造図である。
【００６７】
【図１５】本発明の一実施形態に従ったモバイル通信ネットワーク検出装置の実施形態５の概略構造図である。
【発明を実施するための形態】
【００６８】
本発明の複数の実施形態の複数の目的、複数の技術的解決手段、及び複数の利点をより明確にするべく、本発明の複数の実施形態における複数の添付図面を参照して、本発明の複数の実施形態における複数の技術的解決手段を以下に明確且つ完全に説明する。説明される複数の実施形態は、本発明の複数の実施形態の全てではなく、その一部であることは明らかである。本発明の複数の実施形態に基づいて、当業者により創造的努力をすることなく取得される他の全ての実施形態は、本発明の保護範囲内に含まれるものとする。
【００６９】
モバイル通信ネットワークがＳＡＥシステムに発展した後、ある事例がそのシステムに発生している。すなわち、ロングタームエボリューション（Ｌｏｎｇ  Ｔｅｒｍ  Ｅｖｏｌｕｔｉｏｎ、ＬＴＥ）ネットワーク、ＩＰマルチメディアサブシステム（ＩＰ  Ｍｕｌｔｉｍｅｄｉａ  Ｓｕｂｓｙｓｔｅｍ、ＩＭＳ）ネットワーク、及び移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））ＧＳＭ（登録商標）エボリューション用エンハンストデータレート（Ｅｎｈａｎｃｅｄ  Ｄａｔａ  Ｒａｔｅ  ｆｏｒ  ＧＳＭ（登録商標）Ｅｖｏｌｕｔｉｏｎ、ＥＤＧＥ）無線通信ネットワーク／ユニバーサル地上無線アクセスネットワーク（ＧＳＭ（登録商標）ＥＤＧＥ  Ｒａｄｉｏ  Ａｃｃｅｓｓ  Ｎｅｔｗｏｒｋ／Ｕｎｉｖｅｒｓａｌ  Ｔｅｒｒｅｓｔｒｉａｌ  Ｒａｄｉｏ  Ａｃｃｅｓｓ、ＧＥＲＡＮ／ＵＴＲＡＮ、Ｇ／Ｕ）ネットワークなどの複数のネットワークが共存している。ＬＴＥネットワークの音声サービスなどのサービスでは、サービスのＥ２Ｅ属性の理由で、サービスは、ＬＴＥ、発展型パケットコア（Ｅｖｏｌｖｅｄ  Ｐａｃｋｅｔ  Ｃｏｒｅ、ＥＰＣ）、ＩＭＳ、公衆交換電話網（Ｐｕｂｌｉｃ  Ｓｗｉｔｃｈｅｄ  Ｔｅｌｅｐｈｏｎｅ  Ｎｅｔｗｏｒｋ、ＰＳＴＮ）、及びＧ／Ｕなどの様々な領域に広がり得る。従来のネットワーク運用・保守方法は、Ｅ２Ｅトレースプロシージャを用いてシグナリングをトレースし得て、サービスアクセス及びサービス保守の局面において運用・保守診断に用いられ得る。しかしながら、エンドツーエンドサービス送信のサービス品質問題が、サービス送信経路全体に複数のネットワークエレメントデバイスを含み、現在では単一のネットワークエレメントのパケット取り込み及び解析などの技術的手段しか用いることができないので、検出効率は低い。
【００７０】
先行技術のエンドツーエンドサービス送信を含む、比較的低いサービス品質の検出効率の問題を解決すべく、本発明の一実施形態が、モバイル通信ネットワーク検出方法を提供する。本発明のこの実施形態において提供されるモバイル通信ネットワーク検出方法は、ネットワークの種類に限定されず、本発明のこの実施形態において提供されるモバイル通信ネットワーク検出方法は、エンドツーエンドサービス送信のサービス品質を効率的に検出すべく、あらゆる種類のモバイル通信ネットワークにおいて用いられ得る。
【００７１】
図１は、ＳＡＥシステムにおけるＬＴＥネットワークのアーキテクチャの模式図である。図１に示されるように、以下の複数のネットワークエレメントが含まれる。発展型無線ネットワークに関連する全ての機能を実装するのに用いられる発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）１１。ユーザコンテクスト及びモバイル状態管理、一時的ユーザ識別情報の割り当てなどを含む制御プレーンのモビリティ管理を担うモビリティ管理エンティティ（Ｍｏｂｉｌｉｔｙ  Ｍａｎａｇｅｍｅｎｔ  Ｅｎｔｉｔｙ、ＭＭＥ）１２。複数の３ＧＰＰアクセスシステム間のユーザプレーンアンカであり、Ｅ−ＵＴＲＡＮインタフェースでインタフェースを終端するサービングゲートウェイエンティティ（Ｓｅｒｖｉｎｇ  Ｇａｔｅｗａｙ、ＳＧＷ）１３。３ＧＰＰアクセスシステムと非３ＧＰＰアクセスシステムとの間のユーザプレーンアンカであり、外部パケットデータネットワーク（Ｐａｃｋｅｔ  Ｄａｔａ  Ｎｅｔｗｏｒｋ、ＰＤＮ）でインタフェースを終端するパケットデータゲートウェイエンティティ（ＰＤＮ  Ｇａｔｅｗａｙ、ＰＧＷ）１４。ポリシー制御決定及びフロー課金制御機能に用いられるポリシー及び課金ルール機能エンティティ（Ｐｏｌｉｃｙ  ａｎｄ  Ｃｈａｒｇｉｎｇ  Ｒｕｌｅ  Ｆｕｎｃｔｉｏｎ、ＰＣＲＦ）１５。ユーザ加入契約情報を格納するのに用いられるホーム加入者サーバ（Ｈｏｍｅ  Ｓｕｂｓｃｒｉｂｅｒ  Ｓｅｒｖｅｒ，  ＨＳＳ）１６。ＨＳＳ１６はＳ６ａインタフェースを用いてＭＭＥ１２に接続され、ＭＭＥ１２はＳ１−ＭＭＥインタフェースを用いてＥ−ＵＴＲＡＮ１１に接続され、ＭＭＥ１２はＳ１１インタフェースを用いてＳＧＷ１３に接続され、Ｅ−ＵＴＲＡＮ１１はＳ１−Ｕインタフェースを用いてＳＧＷ１３に接続され、ＳＧＷ１３はＳ５／Ｓ８インタフェースを用いてＰＧＷ１４に接続され、ＰＧＷはＰＣＲＦに接続される。そして、ユーザ機器（ｕｓｅｒ  ｅｑｕｉｐｍｅｎｔ、ＵＥ）１７がＥ−ＵＴＲＡＮ１１を通じてネットワークにアクセスする。
【００７２】
モバイルネットワークがＧ／ＵネットワークからＬＴＥネットワークに発展した後、従来の回線交換（Ｃｉｒｃｕｉｔ  Ｓｗｉｔｃｈｅｄ、ＣＳ）ネットワークも音声サービスを伝達するＬＴＥネットワークに切り換えられている。２つの領域、すなわちＬＴＥ及びＥＰＣのみに広がる通常のＬＴＥデータサービスと比較すると、ＬＴＥ音声サービスは、ＬＴＥ音声サービスのＥ２Ｅ属性の理由で、ＬＴＥ、ＥＰＣ、ＩＭＳ、ＰＳＴＮ、及びＧ／Ｕなどの様々な領域に広がり得る。従って、ＬＴＥ音声サービスの運用・保守はより複雑である。
【００７３】
図２は、Ｅ２Ｅサービスシグナリングの送信経路及びメディアプレーンの模式図である。図２に示されるように、システムが複数のネットワーク、すなわちＬＴＥネットワーク２１０、ＬＴＥネットワーク２２０、ＩＭＳネットワーク２３０、ＰＳＴＮネットワーク２４０、及びＧ／Ｕネットワーク２５０を含む。
【００７４】
ＬＴＥネットワーク２１０は、ＭＭＥ２１１、Ｅ−ＵＴＲＡＮ２１２、ＳＧＷ２１３、及びＰＧＷ２１４などのネットワークエレメントを特に含む。ＩＭＳネットワーク２３０は、セッションボーダーコントローラ（プロキシコールセッション制御）（Ｓｅｓｓｉｏｎ  Ｂｏｒｄｅｒ  Ｃｏｎｔｒｏｌｌｅｒ（Ｐｒｏｘｙ  Ｃａｌｌ  Ｓｅｓｓｉｏｎ  Ｃｏｎｔｒｏｌ  Ｆｕｎｃｔｉｏｎ）、ＳＢＣ（Ｐ−ＣＳＣＦ））２３１、ＳＢＣ（Ｐ−ＣＳＣＦ）２３２、インタロゲイティング／サービングコールセッション制御機能（Ｉｎｔｅｒｒｏｇａｔｉｎｇ／Ｓｅｒｖｉｎｇ  ＣＳＣＦ、Ｉ／Ｓ−ＣＳＣＦ）２３３、ＩＰマルチメディアのメディアゲートウェイ（ＩＰ  Ｍｕｌｔｉｍｅｄｉａ  Ｍｅｄｉａ  Ｇａｔｅｗａｙ、ＩＭ−ＭＧＷ）２３４、メディアゲートウェイ制御機能（Ｍｅｄｉａ  Ｇａｔｅｗａｙ  Ｃｏｎｔｒｏｌ  Ｆｕｎｃｔｉｏｎ、ＭＧＣＦ）２３５、ブレークアウトゲートウェイ制御機能（Ｂｒｅａｋｏｕｔ  Ｇａｔｅｗａｙ  Ｃｏｎｔｒｏｌ  Ｆｕｎｃｔｉｏｎ、ＢＧＣＦ）２３６、アプリケーションサーバ（Ａｐｐｌｉｃａｔｉｏｎ  Ｓｅｒｖｅｒ、ＡＳ）２３７などのネットワークエレメントを含む。ＬＴＥネットワーク２２０、ＰＳＴＮネットワーク２４０、及びＧ／Ｕネットワーク２５０の具体的なアーキテクチャは示されていない。
【００７５】
ＵＥ２１８がＬＴＥネットワーク２１０にアクセスし、ＵＥ２２８がＬＴＥネットワーク２２０及びＩＭＳネットワーク２３０にアクセスし、ＵＥ２４８がＰＳＴＮネットワーク２４０にアクセスし、ＵＥ２５８がＧ／Ｕネットワーク２５０にアクセスする。ＨＳＳ２６０が、ＬＴＥネットワーク２１０のＭＭＥ２１１、並びにＩＭＳネットワークのＩ／Ｓ−ＣＳＣＦ２３３及びＡＳ２３７に個々に接続される。ＨＳＳ２６０は、ＬＴＥネットワーク２２０、ＰＳＴＮネットワーク２４０、及びＧ／Ｕネットワーク２５０の複数の関連ネットワークエレメント（図２には示されない）にも接続される。ＥＭＳ２７０がＨＳＳ２６０に接続される。複数のネットワークエレメント間の他の接続関係が図２に示される。
【００７６】
ＬＴＥネットワーク２１０にアクセスするＵＥ２１８がＬＴＥネットワーク２２０にアクセスするＵＥ２２８と音声通信サービスを実行する場合、ＵＥ２１８からＵＥ２２８への音声シグナリング送信経路が、ＵＥ２１８、Ｅ−ＵＴＲＡＮ２１２、ＭＭＥ２１１、ＳＧＷ２１３、ＰＧＷ２１４、ＳＢＣ（Ｐ−ＣＳＣＦ）２３１、Ｉ／Ｓ−ＣＳＣＦ２３３、ＳＢＣ（Ｐ−ＣＳＣＦ）２３２、ＬＴＥネットワーク２２０、及びＵＥ２２８を連続して通り、この経路が経路２８０で図に示されている。ＵＥ２１８からＵＥ２２８への音声メディア送信経路が、ＵＥ２１８、Ｅ−ＵＴＲＡＮ２１２、ＳＧＷ２１３、ＰＧＷ２１４、ＳＢＣ（Ｐ−ＣＳＣＦ）２３１、ＳＢＣ（Ｐ−ＣＳＣＦ）２３２、ＬＴＥネットワーク２２０、及びＵＥ２２８を連続して通り、この経路が経路２９０で図に示されている。
【００７７】
ＬＴＥ音声サービスのシグナリング及びメディアプレーンが全て様々な領域及びデバイスに広がり、同様にデータサービスも様々な領域及びデバイスに広がっていることが図２から分かり得る。ＳＡＥシステムに基づいたサービス送信は複数の様々な領域及びデバイスに広がり得て、単一のネットワークエレメントに基づいた運用・保守方式は、運用・保守の必要性を満たすことができない。
【００７８】
現在、３ＧＰＰ規格は、Ｅ２Ｅトレースネットワーク全体のトレース機能の特徴を定義している。Ｅ２Ｅトレースの特徴は、複数のネットワークエレメントインタフェースの複数のシグナリングメッセージをトレースし収集する方法を提供し、複数のネットワークエレメントにより報告される複数のシグナリングメッセージに基づいて、ＥＭＳは完全なＥ２Ｅビューを生成し得る。従って、シグナリングプロシージャ用のＥ２Ｅ視覚的運用・保守が実装され得て、Ｅ２Ｅトレースが、Ｅ２Ｅ方式のサービスアクセス及びサービス保守の局面において問題の運用・保守診断を実行し得る。しかしながら、ユーザのエンドツーエンドサービス送信に関連したサービス品質問題、例えば、パケット損失が音声通話中断、さらには無音をもたらすという問題では、トレースされたユーザーパケットをネットワークエレメント内で取り込む、又はインタフェースプローブを用いてネットワークエレメント外でパケットを取り込み、解析を実行するなどの技術的手段が、ネットワークエレメント及びインタフェースを１つ１つ調べて診断するのに用いられる必要がある。ネットワークエレメント又はインタフェースを１つ１つ除外する方式は時間がかかり厄介であり、問題の発見に比較的長い時間を必要とする。これにより、比較的低い検出効率になる。
【００７９】
図３は、ＬＴＥネットワーク及びＩＭＳネットワークにおけるＥ２Ｅトレースのアーキテクチャの模式図であり、図３のネットワークアーキテクチャは図２のものと同一である。図３に示されるように、ＬＴＥネットワーク２１０及びＩＭＳネットワーク２３０の両方において、ＥＭＳ２７０が、トレースパラメータを構成しＨＳＳ２６０に配信して、Ｅ２Ｅトレースプロシージャを起動させるのに用いられ得る。次にＨＳＳ２６０はＬＴＥネットワーク２１０のＭＭＥ２１１にトレースパラメータを送信し、次にＭＭＥ２１１はＳＧＷ２１３、ＰＧＷ２１４、又はＥ−ＵＴＲＡＮ２１２にトレースパラメータを送信する。又はＨＳＳ２６０はＩＭＳネットワーク２３０のＩ／Ｓ−ＣＳＣＦ２３３にトレースパラメータを送信し、次にＩ／Ｓ−ＣＳＣＦ２３３はＳＢＣ（Ｐ−ＣＳＣＦ）２３１、ＳＢＣ（Ｐ−ＣＳＣＦ）２３２、ＭＧＣＦ２３５、ＢＧＣＦ２３６、又はＡＳ２３７にトレースパラメータを送信する。ＬＴＥネットワーク２１０及びＩＭＳネットワーク２３０のＥ２Ｅトレースプロシージャは、ＬＴＥネットワーク２１０のＭＭＥ２１１、又はＩＭＳネットワーク２３０のＩ／Ｓ−ＣＳＣＦ２３３にトレースパラメータをＥＭＳ２７０が直接配信する方法でも起動させられ得る。図の経路３１０がＥ２Ｅトレースの起動経路であり、経路３２０はＥ２Ｅトレースのトレースパラメータ送信経路である。
【００８０】
トレースパラメータを受信した後に、各ネットワークエレメントデバイスはトレースジョブを生成し、特定のユーザの特定のインタフェースメッセージのトレースを開始し、トレースにより取得されたシグナリングメッセージを特定のトレース収集エンティティ（Ｔｒａｃｅ  Ｃｏｌｌｅｃｔｉｏｎ  Ｅｎｔｉｔｙ、ＴＣＥ）３３０に報告する。
【００８１】
図４は、Ｇ／ＵネットワークにおけるＥ２Ｅトレースのアーキテクチャの模式図である。図４に示されるように、Ｇ／Ｕネットワーク２５０が、基地局サブシステム（Ｂａｓｅ  Ｓｔａｔｉｏｎ  Ｓｕｂｓｙｓｔｅｍ、ＢＳＳ）２５１、サービング汎用パケット無線サービス（Ｇｅｎｅｒａｌ  Ｐａｃｋｅｔ  Ｒａｄｉｏ  Ｓｅｒｖｉｃｅ、ＧＰＲＳ）サポートノード（Ｓｅｒｖｉｎｇ  ＧＰＲＳ  Ｓｕｐｐｏｒｔ  Ｎｏｄｅ、ＳＧＳＮ）２５２、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）２５３、メディアゲートウェイ（Ｍｅｄｉａ  ＧａｔｅＷａｙ、  ＭＧＷ）２５４、及び移動通信交換局サーバ（Ｍｏｂｉｌｅ  Ｓｗｉｔｃｈｉｎｇ  Ｃｅｎｔｅｒ  ｓｅｒｖｅｒ、ＭＳＣ  Ｓｅｒｖｅｒ）２５５を含む。複数のネットワークエレメント間の接続関係が図４に示される。
【００８２】
Ｇ／Ｕネットワーク２５０において、ＥＭＳ２７０が、トレースパラメータを構成しＨＳＳ２６０に配信してＥ２Ｅトレースプロシージャを起動させるのに用いられ得る。次にＨＳＳ２６０はＧ／Ｕネットワーク２５０のＭＳＣサーバ２５５及びＳＧＳＮ２５２にトレースパラメータを送信し、次にＭＳＣサーバ２５５及びＳＧＳＮ２５２はＢＳＳ２５１、ＧＧＳＮ２５３、又はＭＧＷ２５４にトレースパラメータを送信する。Ｇ／Ｕネットワーク２５０のＥ２Ｅトレースプロシージャは、Ｇ／Ｕネットワーク２５０のＭＳＣサーバ２５５及びＳＧＳＮ２５２にトレースパラメータをＥＭＳ２７０が直接配信する方法でも起動させられ得る。図の経路４１０がＥ２Ｅトレースの起動経路であり、経路４２０がＥ２Ｅトレースのトレースパラメータ送信経路である。
【００８３】
Ｇ／Ｕネットワーク２５０の回線交換ドメイン（Ｃｉｒｃｕｉｔ  Ｓｗｉｔｃｈｅｄ  Ｄｏｍａｉｎ、ＣＳ）サービスのＥ２Ｅトレースが、ホームロケーションレジスタ（Ｈｏｍｅ  Ｌｏｃａｔｉｏｎ  Ｒｅｇｉｓｔｅｒ、ＨＬＲ）の構成に従ってＥＭＳ２７０がトレースパラメータを配信する方法で実装される。ユーザがサービスを始動させる場合、ＨＬＲはＥ２Ｅトレース起動メッセージをＭＳＣサーバ２５５に配信し、ＭＳＣサーバ２５５はＥ２Ｅトレース起動メッセージをＢＳＳ２５１又はＭＧＷ２５４に配信する。Ｇ／Ｕネットワーク２５０のパケット交換ドメイン（Ｐａｃｋｅｔ  Ｓｗｉｔｃｈ  Ｄｏｍａｉｎ、ＰＳ）サービスのＥ２Ｅトレースも、ＨＬＲの構成に従ってＥＭＳ２７０がトレースパラメータを配信する方法で実装される。ＨＬＲはＥ２Ｅトレース起動メッセージをＳＧＳＮ２５２に配信し、ＳＧＳＮ２５２はＥ２Ｅトレース起動メッセージをＢＳＳ２５１又はＧＧＳＮ２５３に配信する。Ｇ／Ｕネットワーク２５０のＥ２Ｅトレースは、ＣＳネットワークのＭＳＣサーバ２５５、又はＰＳネットワークのＳＧＳＮ２５２にトレースパラメータをＥＭＳ２７０が直接配信する方法でも始動させられ得る。サービスの実装処理において、各ネットワークエレメントはトレースメッセージを特定のＴＣＥに報告する。
【００８４】
ＴＣＥは、問題の発見を容易にすべく、各ネットワークエレメントにより報告されるトレースメッセージ用の同一ユーザの同一セッションのトレースファイルを識別し、トレースファイルを分析し、トレースファイルをユーザに提示する。
【００８５】
図３及び図４に示される既存のＥ２Ｅトレースプロシージャでは、シグナリングプロシージャしかトレースされ得ない。これは、サービスアクセス及びサービス保守の局面において問題の運用・保守診断に用いられ得るが、ユーザのエンドツーエンドサービス送信に関連したサービス品質問題の検出を含まない。
【００８６】
ユーザのエンドツーエンドサービス送信に関連したサービス品質問題に対して検出を実行すべく、トレースされたユーザーパケットをネットワークエレメント内で取り込む、又はインタフェースプローブを用いてネットワークエレメント外でパケットを取り込み、解析を実行する方法が先行技術において用いられ得る。図５は、トレースされたユーザーパケットをネットワークエレメント内で取り込み、インタフェースプローブを用いてネットワークエレメント外でパケットを取り込む模式図である。図５は、図２のネットワークアーキテクチャと同一のネットワークアーキテクチャを用いており、図２のネットワークアーキテクチャと同一の部分は改めて説明されない。
【００８７】
上述の図２の説明に従って、サービスのメディアプレーンデータは、ネットワーク内のいくつかのネットワークエレメントデバイスのみを通り、従って、ユーザのエンドツーエンドサービス送信のサービス品質問題の検出は、サービスのメディアプレーンデータを送信し処理するネットワークエレメントに対してのみ実行され得ることが理解され得る。図５に示されるように、経路５１０に従って、ＥＭＳ２７０は連続して、トレースされたユーザーパケットの取り込み、及びＥ−ＵＴＲＡＮ２１２、ＰＧＷ２１４、又はＳＢＣ（Ｐ−ＣＳＣＦ）２３１など、ユーザのエンドツーエンドサービス送信のサービス品質に影響を与えるメディアプレーンネットワークエレメントデバイスの解析を実行し、ＩＰ送信によりもたらされるパケット損失、遅延、又はジッタなど、ユーザのエンドツーエンドサービス送信のサービス品質に影響を与えるパラメータに関して複数のネットワークエレメントを１つ１つ調べ、問題を引き起こすネットワークエレメントデバイスを判断し得る。これは、トレースされたユーザーパケットをネットワークエレメント内で取り込む方法である。
【００８８】
同様に、ネットワークエレメント外のインタフェースプローブデバイスでは、経路５２０に従って、トレース収集エンティティＴＣＥ５１１が、パケット取り込み、及び外部インタフェースでの各ネットワークエレメント（Ｅ−ＵＴＲＡＮ２１２、ＳＧＷ２１３、ＰＧＷ２１４、又はＳＢＣ（Ｐ−ＣＳＣＦ）２３２）の解析を実行し、ＩＰ送信によりもたらされるパケット損失、遅延、又はジッタなど、ユーザのエンドツーエンドサービス送信のサービス品質に影響を与えるパラメータに関して複数のインタフェースを１つ１つ調べ、問題を引き起こすネットワークエレメントデバイスを判断する。これは、インタフェースプローブを用いてネットワークエレメント外でパケットを取り込む方法である。
【００８９】
トレースされたユーザーパケットをネットワークエレメント内で取り込む、又はインタフェースプローブを用いてネットワークエレメント外でパケットを取り込み、解析を実行するなどの技術的手段は、ユーザのエンドツーエンドサービス送信のサービス品質問題の検出を含み得るが、複数のネットワークエレメント又は複数のインタフェースを１つ１つ除外する方式は時間がかかり厄介であり、問題の発見に比較的長い時間を必要とする。これにより、比較的低い検出効率になる。
【００９０】
図６は、本発明の一実施形態に従ったモバイル通信ネットワーク検出方法の実施形態１のフローチャートである。図６に示されるように、この実施形態における方法は以下の複数の段階を含む。
【００９１】
段階Ｓ６０１：ネットワークエレメント管理デバイスが、サービスデータフローの送信経路上の複数のネットワークエレメントデバイスにより送信されたサービス品質情報を受信する。サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。
【００９２】
具体的には、ユーザのエンドツーエンドサービス送信のサービス品質問題の既存の検出は、ネットワークエレメント又はインタフェースを次々にトレースし、パケット取り込みを行い、解析することに頼るので、問題発見時間が比較的長く、検出効率が低い。ネットワーク内で送信される各サービスデータフローは複数のネットワークエレメントデバイスを通り、サービスデータフローが通るネットワークエレメントデバイスに障害が発生した場合、サービスデータフローのサービス品質は影響を受ける。上述の特徴では、この実施形態のネットワークエレメント管理デバイスは、各サービスデータフローについて、サービスデータフローの送信経路上の複数のネットワークエレメントデバイスにより送信されたサービス品質情報を受信する。ネットワークエレメントデバイスによるサービスデータフローの送信のサービス品質をネットワークエレメントデバイスが検出した後に、サービス品質情報は、各ネットワークエレメントデバイスによりネットワークエレメント管理デバイスに送信される。ネットワークエレメントデバイスによりネットワークエレメント管理デバイスに送信されるサービス品質情報は、サービスデータフローの送信のサービス品質が予め設定された閾値より低いことをネットワークエレメントデバイスが検出した場合に送信され得る、又はネットワークエレメントデバイスは、サービスデータフローの送信のサービス品質をネットワークエレメント管理デバイスに定期的に送信し得る。サービス品質情報をネットワークエレメント管理デバイスに送信するネットワークエレメントデバイスは、ネットワーク内のＥ−ＵＴＲＡＮ又はＢＳＳなどの基地局デバイスであってよく、又はネットワークエレメントデバイスは、ネットワーク内のＳＧＷ、ＰＧＷ、又はＳＢＣ（Ｐ−ＣＳＣＦ）などのコアネットワークデバイスであってもよい。この実施形態のネットワークエレメント管理デバイスは集中管理デバイスであり、例えば、ネットワーク内に配置され、ネットワーク内の各ネットワークエレメントデバイスにより送信される情報を受信し得るＥＭＳ又はＴＣＥなどのデバイスである。実際の配置では、様々な運用要件に従って、ＴＣＥは、別のネットワークエレメントデバイスに統合され得る、又は独立したネットワークエレメントデバイスであり得ることが留意されるべきである。
【００９３】
段階Ｓ６０２：ネットワークエレメント管理デバイスは、複数のネットワークエレメントデバイスにより送信されるサービス品質情報に従って、サービスデータフローの送信経路のサービス品質を判断する。
【００９４】
具体的には、複数のネットワークエレメントデバイスにより送信されたサービス品質情報をネットワークエレメント管理デバイスが受信した後に、ネットワークエレメント管理デバイスは、サービスデータフローの送信経路のサービス品質を知り得る。ネットワークエレメント管理デバイスは、受信されたサービス品質を解析した後にサービスのサービス品質を取得し得て、サービスのサービス品質に影響を与えるネットワークエレメントを迅速に判断し得る。
【００９５】
この実施形態では、ネットワークエレメントデバイスにより送信されるサービス品質情報は、インタネットプロトコルサービス品質（Ｉｎｔｅｒｎｅｔ  Ｐｒｏｔｏｃｏｌ  Ｑｕａｌｉｔｙ  ｏｆ  Ｓｅｒｖｉｃｅ、ＩＰＱｏＳ）と称され得る。ＩＰＱｏＳは、パケット損失、遅延、ジッタ、及び／又は平均オピニオン評点（Ｍｅａｎ  Ｏｐｉｎｉｏｎ  Ｓｃｏｒｅ、ＭＯＳ）など、ネットワークエレメントデバイスにより送信されるサービスのエンドツーエンド送信のサービス品質を示し得るパラメータを含む。
【００９６】
この実施形態では、エレメント管理システムが、サービスデータフローの送信経路上の複数のネットワークエレメントデバイスにより送信されるサービス品質情報を受信するのに用いられ、サービスデータフローを送信する。これにより、エレメント管理システムは、複数のネットワークエレメントデバイスによるサービスデータフローの送信のサービス品質情報を比較することで、サービスデータフローの送信のサービス品質を迅速に検出し得る。これにより、問題の迅速な発見を容易にし、サービス体験に関する運用・保守効率を改善し、運用・保守費用を低減させる。
【００９７】
本発明のこの実施形態において提供されるモバイル通信ネットワーク検出方法では、ネットワークエレメント管理デバイスにより受信されるサービス品質情報は２つの属性に基づき得る、すなわちサービスデータフローのベアラ属性に基づき、且つサービスデータフローのサービス属性に基づいている。さらに、ネットワーク内のサービスデータフローも、アップリンクデータフロー及びダウンリンクデータフローに分類される。本発明のこの実施形態において提供されるモバイル通信ネットワーク検出方法は、サービスデータフローの２つの属性の複数の組み合わせ、並びにアップリンクデータフロー及びダウンリンクデータフローを用いて以下に個々に説明される。
【００９８】
サービスデータフローがアップリンクデータフローである場合、基地局デバイスにより送信されるサービス品質情報は、サービスデータフローを伝達する受信済みパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）データパケットのサービス品質情報であり、コアネットワークデバイスにより送信されるサービス品質情報は、サービスデータフローを伝達する受信済み汎用パケット無線サービストンネリングプロトコル（ｇｅｎｅｒａｌ  ｐａｃｋｅｔ  ｒａｄｉｏ  ｓｅｒｖｉｃｅ  ｔｕｎｎｅｌｉｎｇ  ｐｒｏｔｏｃｏｌ、ＧＴＰ）データパケットのサービス品質情報である。
【００９９】
サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【０１００】
サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルは、サービスデータフローのサービス属性に基づいている。
【０１０１】
サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【０１０２】
図７は、サービスデータフローのベアラ属性に基づいて、ネットワークのサービス品質情報を検出するシグナリングフローチャートであり、図８は、サービスアプリケーション属性に基づいて、ネットワークのサービス品質情報を検出するシグナリングフローチャートである。図７及び図８はＬＴＥネットワークのみを説明するが、別のネットワークのサービス品質情報検出方法はＬＴＥネットワークのものと同様であり、改めてここで説明されない。
【０１０３】
図７に示されるように、ＬＴＥネットワークでは、ＵＥと発展型ＮｏｄｅＢ（ｅｖｏｌｖｅｄ  Ｎｏｄｅ  Ｂ、ｅＮＢ）（すなわちＥ−ＵＴＲＡＮ）との間に確立されたエアーインタフェースパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）ベアラ、及び複数のネットワークエレメントデバイス、すなわちｅＮＢ、ＳＧＷ、及びＰＧＷの間に確立された汎用パケット無線サービストンネリングプロトコル（ｇｅｎｅｒａｌ  ｐａｃｋｅｔ  ｒａｄｉｏ  ｓｅｒｖｉｃｅ  ｔｕｎｎｅｌｉｎｇ  ｐｒｏｔｏｃｏｌ、ＧＴＰ）ベアラ上でサービスメディアプレーンパケットが送信される。
【０１０４】
ＰＤＣＰベアラ及びＧＴＰベアラ上で送信された複数のパケットは対応する順序番号を有し、従って、ＩＰＱｏＳ収集は、ＰＤＣＰベアラ又はＧＴＰベアラ上の複数のパケットの順序番号（Ｓｅｑｕｅｎｃｅ  Ｎｕｍｂｅｒ、ＳＮ）、ネットワークエレメントデバイスのローカルの受信時間などに基づいて実行され得る。例えば、ＰＤＣＰベアラ又はＧＴＰベアラ上で毎回送信されるパケットは順序番号を有し、連続的に送信される複数のパケットの順序番号は連続的である。パケット送信プロセスにおいてパケット損失が発生した場合、複数のパケットの順序番号は連続的ではない。ＩＰＱｏＳは、複数のパケットの不連続順序番号の頻度、及び不連続順序番号の間隔に従って判断され得る。
【０１０５】
ＰＤＣＰベアラ及びＧＴＰベアラは両方とも、サービスメディア送信経路上の複数のネットワークエレメントデバイスの間に確立されているので、ネットワークエレメントデバイスにより、サービスベアラに基づいてトレースされ収集されるＩＰＱｏＳは、２つのエンドポイント、すなわちネットワークエレメントデバイス間のサービス影響を反映する。
【０１０６】
図７の段階Ｓ７０１において、ＵＥによりＵｕエアーインタフェースを介してｅＮＢにデータが送信されるアップリンクベアラのＩＰＱｏＳが、ｅＮＢにより収集される。段階Ｓ７０２において、ｅＮＢによりＳ−Ｕインタフェースを介してＳＧＷにデータが送信されるアップリンクベアラのＩＰＱｏＳが、ＳＧＷにより収集される。段階Ｓ７０３において、ＳＧＷによりＳ５／Ｓ８インタフェースを介してＰＧＷにデータが送信されるアップリンクベアラのＩＰＱｏＳが、ＰＧＷにより収集される。段階Ｓ７０４において、ＰＧＷによりＳ５／Ｓ８インタフェースを介してＳＧＷにデータが送信されるダウンリンクベアラのＩＰＱｏＳが、ＳＧＷにより収集される。段階Ｓ７０５において、ＳＧＷにより、Ｓ−Ｕインタフェースを介してｅＮＢにデータが送信されるダウンリンクベアラのＩＰＱｏＳが、ｅＮＢにより収集される。段階Ｓ７０６において、ｅＮＢによりＵｕインタフェースを介してＵＥにデータが送信されるダウンリンクベアラのＩＰＱｏＳが、ｅＮＢにより収集される。ＩＰＱｏＳを収集するネットワークエレメントデバイスは、命令に従ってネットワークエレメント管理デバイスにＩＰＱｏＳを送信し得る。ネットワークエレメント管理デバイスは、収集されたＩＰＱｏＳに従って、エンドツーエンドサービス送信のサービス品質に影響を与える問題が、２つのネットワークエレメント間のベアラに存在するかどうかを判断し、これにより、問題を有する特定のネットワークエレメント及びインタフェースを判断し得る。図の段階Ｓ７０１、段階Ｓ７０２、及び段階Ｓ７０３において、アップリンクデータフローが検出され、段階Ｓ７０４、段階Ｓ７０５、及び段階Ｓ７０６において、ダウンリンクデータフローが検出される。通常、サービス品質を収集するネットワークエレメントデバイスがデータパケットの受信側であり、データパケットの受信側がユーザ機器である場合、基地局などのネットワーク側デバイスがサービス品質を収集し得ることが、上述の収集プロセスから理解され得る。当業者であれば、様々な収集の必要性のために、データパケットの送信側も、送信側により送信されるデータパケットのサービス品質を収集し得ることを理解すべきである。
【０１０７】
検出されたサービスデータフローがアップリンクデータフローである場合、ｅＮＢにより収集されるＩＰＱｏＳは、サービスデータフローを伝達する受信済みＰＤＣＰデータパケットのサービス品質情報であり、ＳＧＷ及びＰＧＷなどのコアネットワークデバイスにより収集されるＩＰＱｏＳは、サービスデータフローを伝達する受信済みＧＴＰデータパケットのサービス品質情報である。
【０１０８】
検出されたサービスデータフローがダウンリンクデータフローである場合、ｅＮＢにより収集されるＩＰＱｏＳは、サービスデータフローを伝達する受信済みＧＴＰデータパケットのサービス品質情報、及びサービスデータフローを伝達する送信済みＰＤＣＰデータパケットのサービス品質情報であり、ＳＧＷなどのコアネットワークデバイスにより収集されるＩＰＱｏＳは、サービスデータフローを伝達する受信済みＧＴＰデータパケットのサービス品質情報である。
【０１０９】
図７は、ＰＤＣＰベアラ及びＧＴＰベアラ用のＩＰＱｏＳ収集方法のみを示すが、本発明のこの実施形態において提供されるモバイル通信ネットワーク検出方法は、ＰＤＣＰベアラ及びＧＴＰベアラに限定されず、図７のものと同様なＩＰＱｏＳ収集も、別の方式に基づいたネットワークベアラプロトコル用に実行され得る。
【０１１０】
図８に示されるように、図８と図７との間の違いは主に、図７ではネットワークのサービス品質がサービスベアラ属性に基づいて検出されるが、図８ではサービスデータフローのサービス属性に基づいて検出が実行されるということである。通常、サービスデータフローのサービス属性に基づいたサービス品質の検出は、サービスデータフローのサービスレイヤにおいてデータパケットを検出することで実行され得る。図８において、ネットワークのサービス品質がサービスデータフローのアプリケーションレイヤに基づいて検出される。すなわち、ＵＥとアプリケーションサーバ（ＡＰＰ  Ｓｅｒｖｅｒ）との間のアプリケーションレイヤに基づいてＩＰＱｏＳ収集が実行される。
【０１１１】
例えば、音声サービスでは、リアルタイムトランスポートプロトコル（Ｒｅａｌ−ｔｉｍｅ  Ｔｒａｎｓｐｏｒｔ  Ｐｒｏｔｏｃｏｌ）が、ＵＥとＩＭＳサーバとの間に確立され、従って、音声サービスのサービス属性が、ＲＴＰアプリケーション属性を含み得る。ＲＴＰアプリケーション属性は、音声パケットの順序番号ＳＮ、及び異なる音声のエンコード及びデコードに対応するサンプリング周期を含み、従って、ＩＰＱｏＳ収集は音声パケットのＲＴＰアプリケーション属性に基づいて実行され得る。例えば、ＲＴＰアプリケーション属性は、音声パケットの順序番号を含み、連続的に送信される複数の音声パケットの順序番号は連続的である。音声パケット送信プロセスにおいてパケット損失が発生した場合、複数の音声パケットの順序番号は連続的ではない。ＩＰＱｏＳは、複数の音声パケットの不連続順序番号の頻度、及び不連続順序番号の間隔に従って判断され得る。
【０１１２】
ＬＴＥネットワークエレメントデバイスが、ＵＥとＡＰＰサーバとの間の中間送信位置に配置され、従って、ネットワークエレメントデバイスにより、サービス属性に基づいてトレースされ収集されるＩＰＱｏＳは、ＵＥとネットワークエレメントデバイスとの間、又はＡＰＰサーバとネットワークエレメントデバイスとの間のサービス影響を反映する。
【０１１３】
図８において、ＵＥとＡＰＰサーバとの間でサービス送信が実行される場合、ｅＮＢ、ＳＧＷ、及びＰＧＷなどのネットワークエレメントにより転送することが必要とされる。アップリンクサービスでは、段階Ｓ８０１において、ｅＮＢは、ＵＥによりｅＮＢにＵｕエアーインタフェースを介して送信されるアップリンクデータのＩＰＱｏＳを収集する。段階Ｓ８０２において、ＳＧＷは、ＵＥとＳＧＷとの間で送信されるサービスのＩＰＱｏＳを収集する。Ｓ８０３において、ＰＧＷは、ＵＥとＰＧＷとの間で送信されるサービスのＩＰＱｏＳを収集する。段階Ｓ８０４において、ＡＰＰサーバは、ＵＥとＡＰＰサーバとの間で送信されるサービスのＩＰＱｏＳを収集する。ダウンリンクサービスでは、段階Ｓ８０５において、ＰＧＷは、ＡＰＰサーバとＰＧＷとの間で送信されるサービスのＩＰＱｏＳを収集する。段階Ｓ８０６において、ＳＧＷは、ＡＰＰサーバとＳＧＷとの間で送信されるサービスのＩＰＱｏＳを収集する。段階Ｓ８０７において、ｅＮＢは、ＡＰＰサーバとｅＮＢとの間で送信されるサービスのＩＰＱｏＳを収集する。段階Ｓ８０８において、ＡＰＰサーバは、ＡＰＰサーバとＵＥとの間で送信されるサービスのＩＰＱｏＳを収集する。通常、サービス品質を収集するネットワークエレメントデバイスがデータパケットの受信側であり、データパケットの受信側がユーザ機器である場合、基地局などのネットワーク側デバイスがサービス品質を収集し得ることが、上述の収集プロセスから理解され得る。当業者であれば、様々な収集の必要性のために、データパケットの送信側も、送信側により送信されるデータパケットのサービス品質を収集し得ることを理解すべきである。
【０１１４】
ＩＰＱｏＳを収集するネットワークエレメントデバイスは、命令に従って、ネットワークエレメント管理デバイスにＩＰＱｏＳを送信し得る。ネットワークエレメント管理デバイスは、収集されたＩＰＱｏＳに従って、サービスのエンドツーエンドサービス送信のサービス品質に影響を与える問題が、ネットワーク内に存在するかどうかを判断し、ＩＰＱｏＳを報告するネットワークエレメントに従って、問題が存在するネットワークエレメント及びインタフェースを判断し得る。図において、アップリンクデータフローが、段階Ｓ８０１、段階Ｓ８０２、段階Ｓ８０３、及び段階Ｓ８０４で検出され、ダウンリンクデータフローが、段階Ｓ８０５、段階Ｓ８０６、段階Ｓ８０７、及び段階Ｓ８０８で検出される。
【０１１５】
検出されたサービスデータフローがアップリンクデータフローである場合、ｅＮＢ及びコアネットワークデバイス（例えば、ＳＧＷ、ＰＧＷ、又はＡＰＰサーバ）により収集されたＩＰＱｏＳは、サービスデータフローを伝達する、サービスプロトコルの受信済みデータパケットのサービス品質情報であり、サービスプロトコルは、サービスデータフローのサービス属性に基づいている。
【０１１６】
検出されたサービスデータフローがアップリンクデータフローである場合、ｅＮＢにより収集されたＩＰＱｏＳは、サービスデータフローを伝達する、サービスプロトコルの複数の送受信済みデータパケットのサービス品質情報であり、コアネットワークデバイス（例えば、ＳＧＷ、ＰＧＷ、又はＡＰＰサーバ）により収集されたＩＰＱｏＳは、サービスデータフローを伝達する、サービスプロトコルの受信済みデータパケットのサービス品質であり、サービスプロトコルは、サービスデータフローのサービス属性に基づいている。
【０１１７】
さらに、図６に示される実施形態において、複数のネットワークエレメントデバイスにより送信されるサービス品質情報に従ってサービスデータフローの送信経路のサービス品質をネットワークエレメント管理デバイスが判断するということは、複数のネットワークエレメントデバイスにより送信されるサービス品質情報に従って、サービスデータフローの送信経路上で最も低いサービス品質を有するネットワークエレメントデバイスをネットワークエレメント管理デバイスが判断することを含む。
【０１１８】
具体的には、エンドツーエンドサービス送信のサービス品質に対して最大の影響を有するネットワークエレメントデバイスが、サービスデータフローの送信経路上で最も低いサービス品質を有するネットワークエレメントデバイスであり、従って、サービスデータフローの送信経路上の複数のネットワークエレメントデバイスにより送信されるサービス品質情報を受信した後に、ネットワークエレメント管理デバイスは、サービスデータフローの送信経路上で最も低いサービス品質を有するネットワークエレメントデバイスを判断することで、サービスデータフロー上で最大の影響を有するネットワークエレメントデバイスを発見し得る。ネットワークエレメントデバイスの修復は、サービスデータフローの送信経路の送信品質を最大限に改善し得る。従って、ネットワーク内のサービスデータフローのエンドツーエンド送信のサービス品質に影響を与える問題が、可能な限り速やかに検出され解決され得る。
【０１１９】
さらに、複数のネットワークエレメントデバイスにより送信されるサービス品質情報を、ネットワークエレメント管理デバイスにより受信した後に、本発明のこの実施形態において提供されるモバイル通信ネットワーク検出方法は、複数のネットワークエレメントデバイスにより送信されるサービス品質情報に従って、ネットワークエレメント管理デバイスにより統計ダイアグラムを生成する段階をさらに含み、統計ダイアグラムは、送信経路のサービス品質の変化状況を示すのに用いられる。
【０１２０】
具体的には、サービスデータフローの送信経路上の複数のネットワークエレメントデバイスにより送信されるサービス品質情報を受信した後に、ネットワークエレメント管理デバイスは、複数のサービス品質情報に従って統計ダイアグラムをさらに生成し得て、統計ダイアグラムは、サービスデータフローの送信経路全体の各ネットワークエレメントのサービス品質を示すのに用いられる。そのような統計ダイアグラムは各サービスデータフロー用に生成され、次に各サービスデータフローのサービス品質が直感的に理解され得る。これにより、ネットワーク運用・保守担当者が、ネットワーク内の各ネットワークエレメントデバイスを適宜に保守するのは簡便である。
【０１２１】
さらに、ネットワーク内の各ネットワークエレメントデバイスは、ネットワークエレメントデバイスの予め設定されたメカニズムに従って、ネットワークエレメント管理デバイスにサービス品質情報を定期的に送信し得る、又はネットワークエレメント管理デバイスがネットワークの複数のネットワークエレメントデバイスに検出指標情報を送信した後に、ネットワークエレメントデバイスは、サービスデータフローのサービス品質情報をネットワークエレメント管理デバイスに送信し得る。
【０１２２】
ネットワークエレメント管理デバイスにより、ネットワーク内の複数のネットワークエレメントデバイスに検出指標情報を送信する具体的な方法は、図３及び図４に示される各ネットワークのＥ２Ｅトレースプロシージャに関連して、ネットワークエレメント管理デバイスは、各ネットワークエレメントデバイスに検出指標情報をさらに送信するとともに、各ネットワークエレメントにトレースパラメータを送信することであり得る。ネットワークエレメント管理デバイスは、エンドツーエンドトレースセッション起動シグナリングをネットワーク制御ネットワークエレメント（例えば、ＩＭＳネットワークのＩ／Ｓ−ＣＳＣＦ、又はＧ／ＵネットワークのＭＳＣサーバ）に送信し得て、エンドツーエンドトレースセッション起動シグナリングは検出指標情報を含み、これにより、ネットワーク制御ネットワークエレメントは、複数のネットワークエレメントデバイスに検出指標情報を送信する。又はネットワークエレメント管理デバイスは、エンドツーエンドトレースセッション起動シグナリングをホーム加入者サーバにさらに送信し得て、これにより、ホーム加入者サーバがネットワーク制御ネットワークエレメントに検出指標情報を送信した後に、ネットワーク制御ネットワークエレメントは複数のネットワークエレメントデバイスに検出指標情報を送信する。
【０１２３】
さらに、ネットワークエレメント管理デバイスにより送信されるエンドツーエンドトレースセッション起動シグナリングは、検出されるネットワークエレメントデバイスについての情報をさらに含み、これにより、ネットワーク制御ネットワークエレメントは、検出されるネットワークエレメントデバイスに検出指標情報を送信する。すなわち、ネットワークエレメント管理デバイスは、サービス品質情報を報告する必要があるネットワークエレメントデバイスを特定し得て、これにより、ネットワーク制御ネットワークエレメントは、サービス品質情報を報告する必要がある特定されたネットワークエレメントデバイスのみに検出指標情報を送信する。
【０１２４】
さらに、エンドツーエンドトレースセッション起動シグナリングはジョブタイプ情報要素をさらに含み、ジョブタイプ情報要素は、トレースシグナリングメッセージ及び／又は検出指標情報をネットワークエレメント管理デバイスに送信するよう、複数のネットワークエレメントデバイスに命令するのに用いられる。すなわち、ネットワークエレメント管理デバイスは、既存のＥ２Ｅトレースプロシージャ、及び／又は、本発明のこの実施形態において提供されるモバイル通信ネットワーク検出方法を実行するようネットワークエレメントデバイスに命令し得る。
【０１２５】
具体的には、本発明のこの実施形態において、ネットワークエレメント管理デバイスによりサービス品質情報を収集し報告すべく、ネットワークエレメントデバイスを始動することは、既存のＥ２Ｅトレースプロシージャを拡張することで実行される。既存のＥ２Ｅトレースプロシージャがまだ正常に実行され得る、且つ既存のＥ２Ｅトレースのシグナリング収集及び報告メカニズムが影響を受けないことを保証すべく、ジョブタイプ（Ｊｏｂ  Ｔｙｐｅ）情報要素がＥ２Ｅトレース起動シグナリングに追加され得る。ジョブタイプ情報要素は、Ｅ２Ｅトレースのジョブタイプを示すのに用いられる。ジョブタイプ情報要素は３種類に分類され得て、個々に、シグナリングのみをトレースする（Ｔｒａｃｅ  Ｓｉｇｎａｌｌｉｎｇ  ｏｎｌｙ）、ＩＰＱｏＳのみをトレースする（Ｔｒａｃｅ  ＩＰＱｏＳ  ｏｎｌｙ）、シグナリング及びＩＰＱｏＳをトレースする（Ｔｒａｃｅ  Ｓｉｇｎａｌｉｎｇ  ａｎｄ  ＩＰＱｏＳ）である。これらの対応するＥ２Ｅトレースプロシージャはそれぞれ、シグナリングのみを収集及び報告する（先行技術のものと同じ）、サービス品質情報のみを収集及び報告する（上述の実施形態で説明されている）、並びにシグナリング及びサービス品質情報の両方を収集し報告するである。このように、サービス品質情報は、既存のＥ２Ｅトレースプロシージャに影響を与えることなく、選択的に収集され報告され得て、フレキシブルなネットワーク検出方法が提供される。
【０１２６】
さらに、上述の実施形態において、コアネットワークデバイスは、サービングゲートウェイ及びデータゲートウェイを含む。
【０１２７】
ＩＰＱｏＳ検出指標情報の送信は、２つのプロシージャを含む。１つは、アタッチ（Ａｔｔａｃｈ）／トラッキングエリア更新（Ｔｒａｃｋｉｎｇ  Ａｒｅａ  Ｕｐｄａｔｅ）／ハンドオーバ（Ｈａｎｄｏｖｅｒ）のプロセス中のユーザ用の送信プロシージャであり、もう１つは、アタッチ／トラッキングエリア更新／ハンドオーバ後のユーザ用の送信プロシージャである。
【０１２８】
ＩＰＱｏＳ検出指標情報の送信プロシージャが、一例としてＬＴＥネットワークを用いて、図９及び図１０で説明される。アタッチプロシージャを用いてＵＥがＭＭＥにアクセスする状況のみが、図９及び図１０で説明するために一例として用いられる。
【０１２９】
図９は、ユーザがＬＴＥネットワークのＭＭＥにアクセスしようとしている状況でのＩＰＱｏＳ検出指標情報のシグナリング送信のフローチャートである。トレースセッション起動シグナリングを用いて、ＥＭＳがＩＰＱｏＳ検出表示シグナリングを配信し、ＩＰＱｏＳ検出表示シグナリングを受信する複数のネットワークエレメントが、ジョブ要求を生成することで、又は複数のネットワークエレメント間で既存のメッセージを用いることで、ＩＰＱｏＳ検出表示シグナリングを互いの間で送信する。図９に示されるように、段階Ｓ９０１において、トレースセッション起動シグナリング（Ｔｒａｃｅ  Ｓｅｓｓｉｏｎ  Ａｃｔｉｖａｔｉｏｎ）をＥＭＳがＨＳＳに送信する。トレースセッション起動シグナリングは、トレースジョブタイプ（Ｊｏｂ  Ｔｙｐｅ）情報要素を含む。段階Ｓ９０２において、ＨＳＳは、トレース制御・構成パラメータ（Ｔｒａｃｅ  Ｃｏｎｔｒｏｌ  ａｎｄ  Ｃｏｎｆｉｇｕｒａｔｉｏｎ  ｐａｒａｍｅｔｅｒｓ）をトレースセッション起動シグナリングに保存する。段階Ｓ９０３において、アタッチ要求メッセージ（Ａｔｔａｃｈ  Ｒｅｑｕｅｓｔ）をＵＥがｅＮＢに送信する。ＵＥにより送信されたアタッチ要求メッセージを受信した後に、ｅＮＢは段階Ｓ９０４においてアタッチ要求メッセージをＭＭＥに転送する。ＵＥにより送信されたアタッチ要求メッセージを受信した後に、ＭＭＥは段階Ｓ９０５において位置更新要求（Ｕｐｄａｔｅ  Ｌｏｃａｔｉｏｎ  Ｒｅｑｕｅｓｔ）をＨＳＳに送信する。位置更新要求を受信した後に、ＨＳＳは段階Ｓ９０６において位置更新応答（Ｕｐｄａｔｅ  Ｌｏｃａｔｉｏｎ  Ａｎｓｗｅｒ）をＭＭＥに送信する。位置更新応答はトレースジョブタイプ情報要素を伝達する。段階Ｓ９０７において、ＭＭＥは、トレース制御・構成パラメータを保存し、トレース制御・構成パラメータ内のジョブタイプ情報要素の命令に従ってシグナリングトレースプロシージャを開始する。段階Ｓ９０８において、ＭＭＥはセッション生成要求（Ｃｒｅａｔｅ  Ｓｅｓｓｉｏｎ  Ｒｅｑｕｅｓｔ）をＳＧＷに送信する。セッション生成要求はトレースジョブタイプ情報要素を伝達する。段階９０９において、ＳＧＷはトレース制御・構成パラメータを保存し、トレース制御・構成パラメータ内のジョブタイプ情報要素の命令に従って、シグナリングトレースプロシージャ及び／又はＩＰＱｏＳトレースプロシージャを開始する。段階Ｓ９１０において、ＳＧＷはセッション生成要求をＰＧＷに送信する。セッション生成要求はトレースジョブタイプ情報要素を伝達する。段階Ｓ９１１において、ＰＧＷはトレース制御・構成パラメータを保存し、トレース制御・構成パラメータ内のジョブタイプ情報要素の命令に従って、シグナリングトレースプロシージャ及び／又はＩＰＱｏＳトレースプロシージャを開始する。段階Ｓ９１２において、ＰＧＷはセッション生成応答（Ｃｒｅａｔｅ  Ｓｅｓｓｉｏｎ  Ｒｅｓｐｏｎｓｅ）をＳＧＷに送信する。段階Ｓ９１３において、ＳＧＷはセッション生成応答をＭＭＥに送信する。段階Ｓ９１４において、ＭＭＥは初期コンテキスト設定要求（Ｉｎｉｔｉａｌ  Ｃｏｎｔｅｘｔ  Ｓｅｔｕｐ  Ｒｅｑｕｅｓｔ）をｅＮＢに送信する。初期コンテ���スト設定要求はトレースジョブタイプ情報要素を伝達する。段階Ｓ９１５において、ｅＮＢはトレース制御・構成パラメータを保存し、トレース制御・構成パラメータ内のジョブタイプ情報要素の命令に従って、シグナリングトレースプロシージャ及び／又はＩＰＱｏＳトレースプロシージャを開始する。
【０１３０】
図９において、ＭＭＥはさらにＥＭＳから送信されたトレース制御・構成パラメータを、ＨＳＳによる転送の必要もなく、直接受信し得ることが留意されるべきである。トレースエリア更新／ハンドオーバ（ｔｒａｃｉｎｇ  ａｒｅａ  ｕｐｄａｔｅ／ｈａｎｄｏｖｅｒ、ＴＡＵ／Ｈａｎｄｏｖｅｒ）プロシージャでは、ＭＭＥは、ピアＭＭＥから送信されたトレース制御・構成パラメータをさらに受信し得る。段階Ｓ９０８及び段階Ｓ９１４は同時に実行され得る。要するに、ＭＭＥは、アタッチ／ＴＡＵ／ハンドオーバプロシージャメッセージを用いて、トレースパラメータをＳＧＷ／ＰＧＷに送信し、アタッチ／サービス要求／ハンドオーバプロシージャメッセージを用いて、トレースパラメータをｅＮＢに送信する。
【０１３１】
図１０は、ユーザがＬＴＥネットワークのＭＭＥにアクセスしている状況でのＩＰＱｏＳ検出指標情報のシグナリング送信のフローチャートである。図１０に示されるように、段階Ｓ１００１において、トレースセッション起動シグナリングをＥＭＳがＨＳＳに送信する。トレースセッション起動シグナリングはトレースジョブタイプ情報要素を含む。段階Ｓ１００２において、ＨＳＳは、トレース制御・構成パラメータを保存する。段階Ｓ１００３において、ＨＳＳは加入者データ挿入要求（Ｉｎｓｅｒｔ  Ｓｕｂｓｃｒｉｂｅｒ  Ｄａｔａ  Ｒｅｑｕｅｓｔ）をＭＭＥに送信する。加入者データ挿入要求はトレースジョブタイプ情報要素を伝達する。段階Ｓ１００４において、ＭＭＥは加入者データ挿入応答（Ｉｎｓｅｒｔ  Ｓｕｂｓｃｒｉｂｅｒ  Ｄａｔａ  Ａｎｓｗｅｒ）をＨＳＳに返信する。段階Ｓ１００５において、ＭＭＥはトレース制御・構成パラメータを保存し、トレース制御・構成パラメータ内のジョブタイプ情報要素の命令に従って、シグナリングトレースプロシージャを開始する。段階Ｓ１００６において、ＭＭＥはトレースセッション起動シグナリングをＳＧＷに送信する。トレースセッション起動シグナリングは、トレースジョブタイプ情報要素を伝達する。段階Ｓ１００７において、ＳＧＷはトレース制御・構成パラメータを保存し、トレース制御・構成パラメータ内のジョブタイプ情報要素の命令に従って、シグナリングトレースプロシージャ及び／又はＩＰＱｏＳトレースプロシージャを開始する。段階Ｓ１００８において、ＳＧＷはトレースセッション起動シグナリングをＰＧＷに送信する。トレースセッション起動シグナリングはトレースジョブタイプ情報要素を伝達する。段階Ｓ１００９において、ＰＧＷはトレース制御・構成パラメータを保存し、トレース制御・構成パラメータ内のジョブタイプ情報要素の命令に従って、シグナリングトレースプロシージャ及び／又はＩＰＱｏＳトレースプロシージャを開始する。段階Ｓ１０１０において、ＭＭＥはトレース開始シグナリング（Ｔｒａｃｅ  Ｓｔａｒｔ）をｅＮＢに送信する。トレース開始シグナリングはトレースジョブタイプ情報要素を伝達する。段階Ｓ１０１１において、ｅＮＢはトレース制御・構成パラメータを保存し、トレース制御・構成パラメータのジョブタイプ情報要素の命令に従って、シグナリングトレースプロシージャ及び／又はＩＰＱｏＳトレースプロシージャを開始する。
【０１３２】
図１０において、ＭＭＥはさらにＥＭＳから送信されたトレース制御・構成パラメータを、ＨＳＳによる転送の必要もなく、直接受信し得ることが留意されるべきである。段階Ｓ１００６及び段階Ｓ１０１０は同時に実行され得る。要するに、ＭＭＥは、トレースセッション起動シグナリングメッセージを用いて、トレースパラメータをＳＧＷ／ＰＧＷに送信し、トレース開始シグナリングを用いて、トレースパラメータをｅＮＢに送信する。
【０１３３】
図１１は、本発明の一実施形態に従ったモバイル通信ネットワーク検出装置の実施形態１の概略構造図である。図１１に示されるように、この実施形態におけるモバイル通信ネットワーク検出装置は以下のものを含む。サービスデータフローの送信経路上の複数のネットワークエレメントデバイスにより送信されるサービス品質情報を受信するよう構成された受信モジュール１１１であり、サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。複数のネットワークエレメントデバイスにより送信されるサービス品質情報に従って、サービスデータフローの送信経路のサービス品質を判断するよう構成された処理モジュール１１２である。
【０１３４】
この実施形態におけるモバイル通信ネットワーク検出装置は、図６に示される方法の実施形態における技術的解決手段を実行するよう構成され、方法の実施形態と同じ実装方式及び技術的効果を有するので、詳細は改めてここで説明されない。
【０１３５】
さらに、図１１に示される実施形態では、サービスデータフローがアップリンクデータフローである場合、基地局デバイスにより送信されるサービス品質情報は、サービスデータフローを伝達する受信済みＰＤＣＰデータパケットのサービス品質情報である。
【０１３６】
さらに、図１１に示される実施形態では、サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【０１３７】
さらに、図１１に示される実施形態では、コアネットワークデバイスにより送信されるサービス品質情報は、サービスデータフローを伝達する受信済みＧＴＰデータパケットのサービス品質情報である。
【０１３８】
さらに、図１１に示される実施形態では、サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルは、サービスデータフローのサービス属性に基づいている。
【０１３９】
さらに、図１１に示される実施形態では、サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【０１４０】
さらに、図１１に示される実施形態では、サービスプロトコルはＲＴＰを含む。
【０１４１】
さらに、図１１に示される実施形態では、処理モジュール１１２は、複数のネットワークエレメントデバイスにより送信されるサービス品質情報に従って、サービスデータフローの送信経路上で最も低いサービス品質を有するネットワークエレメントデバイスを判断するよう特に構成される。
【０１４２】
図１２は、本発明の一実施形態に従ったモバイル通信ネットワーク検出装置の実施形態２の概略構造図である。図１２に示されるように、図１１に基づいて、この実施形態におけるモバイル通信ネットワーク検出装置はさらに以下のものを含む。複数のネットワークエレメントデバイスにより送信されるサービス品質情報に従って、統計ダイアグラムを生成するよう構成された生成モジュール１２１であり、統計ダイアグラムは、送信経路のサービス品質の変化状況を示すのに用いられる。
【０１４３】
図１３は、本発明の一実施形態に従ったモバイル通信ネットワーク検出装置の実施形態３の概略構造図である。図１３に示されるように、図１２に基づいて、この実施形態におけるモバイル通信ネットワーク検出装置はさらに以下のものを含む。複数のネットワークエレメントデバイスに検出指標情報を送信するよう構成された送信モジュール１３１であり、検出指標情報は、複数のネットワークエレメントデバイスによるサービスデータフローの送信のサービス品質の検出を示すのに用いられる。
【０１４４】
さらに、図１３に示される実施形態では、送信モジュール１３１は、検出指標情報を含むエンドツーエンドトレースセッション起動シグナリングをネットワーク制御ネットワークエレメントに送信し、これにより、ネットワーク制御ネットワークエレメントは、検出指標情報を複数のネットワークエレメントデバイスに送信する、又はエンドツーエンドトレースセッション起動シグナリングをホーム加入者サーバに送信し、これにより、ホーム加入者サーバが検出指標情報をネットワーク制御ネットワークエレメントに送信した後に、ネットワーク制御ネットワークエレメントは検出指標情報を複数のネットワークエレメントデバイスに送信するよう特に構成される。
【０１４５】
さらに、図１３に示される実施形態では、エンドツーエンドトレースセッション起動シグナリングは、検出されるネットワークエレメントデバイスについての情報をさらに含み、これにより、ネットワーク制御ネットワークエレメントは、検出されるネットワークエレメントデバイスに検出指標情報を送信する。
【０１４６】
さらに、図１３に示される実施形態では、エンドツーエンドトレースセッション起動シグナリングはジョブタイプ情報要素をさらに含み、ジョブタイプ情報要素は、トレースシグナリングメッセージ及び／又は検出指標情報をネットワークエレメント管理デバイスに送信するよう、複数のネットワークエレメントデバイスに命令するのに用いられる。
【０１４７】
さらに、図１１から図１３に示される複数の実施形態では、コアネットワークデバイスはサービングゲートウェイ及びデータゲートウェイを含む。
【０１４８】
さらに、図１１から図１３に示される複数の実施形態では、サービス品質情報は、データパケットのパケット損失率、ジッタ、遅延、又はＭＯＳ値を含む。
【０１４９】
図１４は、本発明の一実施形態に従ったモバイル通信ネットワーク検出装置の実施形態４の概略構造図である。図１４に示されるように、この実施形態におけるユーザ機器は、受信機１４１及びプロセッサ１４２を含む。任意選択で、ユーザ機器はメモリ１４３をさらに含み得る。受信機１４１、プロセッサ１４２、及びメモリ１４３は、システムバスを用いて、又は他の方式で接続され得る。図１４では、システムバスを用いた接続が一例として用いられる。システムバスは、業界標準アーキテクチャ（Ｉｎｄｕｓｔｒｉａｌ  Ｓｔａｎｄａｒｄ  Ａｒｃｈｉｔｅｃｔｕｒｅ、ＩＳＡ）バス、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ，  ＰＣＩ）バス、拡張業界標準アーキテクチャ（Ｅｘｔｅｎｄｅｄ  Ｉｎｄｕｓｔｒｉａｌ  Ｓｔａｎｄａｒｄ  Ａｒｃｈｉｔｅｃｔｕｒｅ、ＥＩＳＡ）、バス又は同様のものであってよい。システムバスは、アドレスバス、データバス、制御バスなどに分類され得る。図１４では、説明を容易にするために１つのラインのみが用いられる。このことは、１つのバスしかない、又は１つの種類のバスしかないことを示すものではない。
【０１５０】
受信機１４１は、サービスデータフローの送信経路上の複数のネットワークエレメントデバイスにより送信されるサービス品質情報を受信するよう構成され、サービス品質情報は、複数のネットワークエレメントデバイスによるサービスデータフローの送信のサービス品質を示すのに用いられ、複数のネットワークエレメントデバイスは、基地局デバイス及びコアネットワークデバイスを含む。
【０１５１】
プロセッサ１４２は、複数のネットワークエレメントデバイスにより送信され受信機１４１により受信されるサービス品質情報に従って、サービスデータフローの送信経路のサービス品質を判断するよう構成される。
【０１５２】
メモリ１４３は、受信機１４１により受信された情報を格納し、プロセッサ１４２により処理されたデータを格納するよう構成される。
【０１５３】
この実施形態におけるモバイル通信ネットワーク検出装置は、図６に示される方法の実施形態における技術的解決手段を実行するよう構成され、方法の実施形態と同じ実装方式及び技術的効果を有するので、詳細は改めてここで説明されない。
【０１５４】
さらに、図１４に示される実施形態では、サービスデータフローがアップリンクデータフローである場合、基地局デバイスにより送信されるサービス品質情報は、サービスデータフローを伝達する受信済みＰＤＣＰデータパケットのサービス品質情報である。
【０１５５】
さらに、図１４に示される実施形態では、サービスデータフローがダウンリンクデータフローである場合、基地局デバイスにより送信されるサービス品質情報は、サービスデータフローを伝達する受信済みＧＴＰデータパケットのサービス品質情報、及びサービスデータフローを伝達する送信済みＰＤＣＰデータパケットのサービス品質情報である。
【０１５６】
さらに、図１４に示される実施形態では、コアネットワークデバイスにより送信されるサービス品質情報は、サービスデータフローを伝達する受信済みＧＴＰデータパケットのサービス品質情報である。
【０１５７】
さらに、図１４に示される実施形態では、サービスデータフローがアップリンクデータフローである場合、基地局デバイス及びコアネットワークデバイスにより送信されるサービス品質情報は、サービスデータフローを伝達する、サービスプロトコルの受信済みデータパケットのサービス品質情報であり、サービスプロトコルは、サービスデータフローのサービス属性に基づいている。
【０１５８】
さらに、図１４に示される実施形態では、サービスデータフローがダウンリンクデータフローである場合、基地局デバイスにより送信されるサービス品質情報は、サービスデータフローを伝達する、サービスプロトコルの複数の送受信済みデータパケットのサービス品質情報であり、コアネットワークデバイスにより送信されるサービス品質情報は、サービスデータフローを伝達する、サービスプロトコルの受信済みデータパケットのサービス品質であり、サービスプロトコルは、サービスデータフローのサービス属性に基づいている。
【０１５９】
さらに、図１４に示される実施形態では、サービスプロトコルはＲＴＰを含む。
【０１６０】
さらに、図１４に示される実施形態では、プロセッサ１４２は、複数のネットワークエレメントデバイスにより送信され受信機１４１により受信されるサービス品質情報に従って、サービスデータフローの送信経路において最も低いサービス品質を有するネットワークエレメントデバイスを判断するよう特に構成される。
【０１６１】
さらに、図１４に示される実施形態では、プロセッサ１４２は、複数のネットワークエレメントデバイスにより送信され受信機１４１により受信されるサービス品質情報に従って、統計ダイアグラムを生成するようさらに構成され、統計ダイアグラムは、送信経路のサービス品質の変化状況を示すのに用いられる。
【０１６２】
図１５は、本発明の一実施形態に従ったモバイル通信ネットワーク検出装置の実施形態５の概略構造図である。図１５に示されるように、図１４に基づいて、この実施形態におけるモバイル通信ネットワーク検出装置はさらに以下のものを含む。複数のネットワークエレメントデバイスに検出指標情報を送信するよう構成された送信機１５１であり、検出指標情報は、複数のネットワークエレメントデバイスによるサービスデータフローの送信のサービス品質の検出を示すのに用いられる。
【０１６３】
さらに、図１５に示される実施形態では、送信機１５１は、検出指標情報を含むエンドツーエンドトレースセッション起動シグナリングをネットワーク制御ネットワークエレメントに送信し、これにより、ネットワーク制御ネットワークエレメントは、検出指標情報を複数のネットワークエレメントデバイスに送信する、又はエンドツーエンドトレースセッション起動シグナリングをホーム加入者サーバに送信し、これにより、ホーム加入者サーバが検出指標情報をネットワーク制御ネットワークエレメントに送信した後に、ネットワーク制御ネットワークエレメントは検出指標情報を複数のネットワークエレメントデバイスに送信するよう特に構成される。
【０１６４】
さらに、図１５に示される実施形態では、エンドツーエンドトレースセッション起動シグナリングは、検出されるネットワークエレメントデバイスについての情報をさらに含み、これにより、ネットワーク制御ネットワークエレメントは、検出されるネットワークエレメントデバイスに検出指標情報を送信する。
【０１６５】
さらに、図１５に示される実施形態では、エンドツーエンドトレースセッション起動シグナリングはジョブタイプ情報要素をさらに含み、ジョブタイプ情報要素は、トレースシグナリングメッセージ及び／又は検出指標情報をネットワークエレメント管理デバイスに送信するよう、複数のネットワークエレメントデバイスに命令するのに用いられる。
【０１６６】
さらに、図１４及び図１５に示される複数の実施形態では、コアネットワークデバイスはサービングゲートウェイ及びデータゲートウェイを含む。
【０１６７】
さらに、図１４及び図１５に示される複数の実施形態では、サービス品質情報は、データパケットのパケット損失率、ジッタ、遅延、又はＭＯＳ値を含む。
【０１６８】
最後に、上述の複数の実施形態は、本発明を制限するのではなく、単に本発明の複数の技術的解決手段を説明することを目的としていることが留意されるべきである。本発明は、上述の複数の実施形態を参照して詳細に説明されているが、当業者であれば、自分らがさらに上述の複数の実施形態に説明された複数の技術的解決手段に対する変更物を作成し得る、あるいはそれらの技術的特徴の一部又は全てに対する同等の置換物を作成し得ることを理解すべきある。従って、本発明の保護範囲は、特許請求の範囲の保護範囲に従うものとする。
（項目１）
モバイル通信ネットワーク検出方法であって、
サービスデータフローの送信経路上の複数のネットワークエレメントデバイスにより送信されるサービス品質情報を、ネットワークエレメント管理デバイスにより受信する段階であって、上記サービス品質情報は、上記複数のネットワークエレメントデバイスによる上記サービスデータフローの送信のサービス品質を示すのに用いられ、上記複数のネットワークエレメントデバイスは、基地局デバイス及びコアネットワークデバイスを含む、受信する段階と、
上記複数のネットワークエレメントデバイスにより送信される上記サービス品質情報に従って、上記ネットワークエレメント管理デバイスにより上記サービスデータフローの上記送信経路のサービス品質を判断する段階と、
を備える、
方法。
（項目２）
上記サービスデータフローがアップリンクデータフローである場合、上記基地局デバイスにより送信される上記サービス品質情報は、上記サービスデータフローを伝達する受信済みパケットデータコンバージェンスプロトコルＰＤＣＰデータパケットのサービス品質情報である、
項目１に記載の方法。
（項目３）
上記サービスデータフローがダウンリンクデータフローである場合、上記基地局デバイスにより送信される上記サービス品質情報は、上記サービスデータフローを伝達する受信済み汎用パケット無線サービストンネリングプロトコルＧＴＰデータパケットのサービス品質情報、及び上記サービスデータフローを伝達する送信済みＰＤＣＰデータパケットのサービス品質情報である、
項目１又は２に記載の方法。
（項目４）
上記コアネットワークデバイスにより送信される上記サービス品質情報は、上記サービスデータフローを伝達する上記受信済みＧＴＰデータパケットの上記サービス品質情報である、
項目１から３の何れか一項に記載の方法。
（項目５）
上記サービスデータフローがアップリンクデータフローである場合、上記基地局デバイス及び上記コアネットワークデバイスにより送信される上記サービス品質情報は、上記サービスデータフローを伝達する、サービスプロトコルの受信済みデータパケットのサービス品質情報であり、
上記サービスプロトコルは、上記サービスデータフローのサービス属性に基づいている、
項目１に記載の方法。
（項目６）
上記サービスデータフローがダウンリンクデータフローである場合、上記基地局デバイスにより送信される上記サービス品質情報は、上記サービスデータフローを伝達する、上記サービスプロトコルの複数の送受信済みデータパケットのサービス品質情報であり、上記コアネットワークデバイスにより送信される上記サービス品質情報は、上記サービスデータフローを伝達する、上記サービスプロトコルの上記受信済みデータパケットのサービス品質情報であり、
上記サービスプロトコルは、上記サービスデータフローのサービス属性に基づいている、
項目１又は５に記載の方法。
（項目７）
上記サービスプロトコルは、リアルタイムトランスポートプロトコルＲＴＰを含む、
項目５又は６に記載の方法。
（項目８）
上記複数のネットワークエレメントデバイスにより送信される上記サービス品質情報に従って、上記ネットワークエレメント管理デバイスにより上記サービスデータフローの上記送信経路のサービス品質を判断する上記段階は、上記複数のネットワークエレメントデバイスにより送信される上記サービス品質情報に従って、上記ネットワークエレメント管理デバイスにより上記サービスデータフローの上記送信経路上で最も低いサービス品質を有するネットワークエレメントデバイスを判断する段階を有する、
項目１から７の何れか一項に記載の方法。
（項目９）
上記複数のネットワークエレメントデバイスにより送信される上記サービス品質情報に従って、上記ネットワークエレメント管理デバイスにより統計ダイアグラムを生成する段階をさらに備え、
上記統計ダイアグラムは、上記送信経路の上記サービス品質の変化状況を示すのに用いられる、
項目１から８の何れか一項に記載の方法。
（項目１０）
上記ネットワークエレメント管理デバイスにより、検出指標情報を上記複数のネットワークエレメントデバイスに送信する段階をさらに備え、
上記検出指標情報は、上記複数のネットワークエレメントデバイスによる上記サービスデータフローの上記送信の上記サービス品質の検出を示すのに用いられる、
項目１から９の何れか一項に記載の方法。
（項目１１）
上記ネットワークエレメント管理デバイスにより、検出指標情報を上記複数のネットワークエレメントデバイスに送信する上記段階は、
上記ネットワークエレメント管理デバイスにより、上記検出指標情報を含むエンドツーエンドトレースセッション起動シグナリングをネットワーク制御ネットワークエレメントに送信し、これにより、上記ネットワーク制御ネットワークエレメントは、上記検出指標情報を上記複数のネットワークエレメントデバイスに送信する段階、又は、
上記ネットワークエレメント管理デバイスにより、エンドツーエンドトレースセッション起動シグナリングをホーム加入者サーバに送信し、これにより、上記ホーム加入者サーバが上記検出指標情報をネットワーク制御ネットワークエレメントに送信した後に、上記ネットワーク制御ネットワークエレメントは、上記検出指標情報を上記複数のネットワークエレメントデバイスに送信する段階を有する、
項目１０に記載の方法。
（項目１２）
上記エンドツーエンドトレースセッション起動シグナリングは、検出されるネットワークエレメントデバイスについての情報をさらに含み、これにより、上記ネットワーク制御ネットワークエレメントは、検出される上記ネットワークエレメントデバイスに上記検出指標情報を送信する、
項目１１に記載の方法。
（項目１３）
上記エンドツーエンドトレースセッション起動シグナリングは、ジョブタイプ情報要素をさらに含み、上記ジョブタイプ情報要素は、トレースシグナリングメッセージ及び／又は上記検出指標情報を上記ネットワークエレメント管理デバイスに送信するよう上記複数のネットワークエレメントデバイスに命令するのに用いられる、
項目１１又は１２に記載の方法。
（項目１４）
上記コアネットワークデバイスは、サービングゲートウェイ及びデータゲートウェイを含む、
項目１から１３の何れか一項に記載の方法。
（項目１５）
上記サービス品質情報は、データパケットのパケット損失率、ジッタ、遅延、又は平均オピニオン評点ＭＯＳ値を含む、
項目１から１４の何れか一項に記載の方法。
（項目１６）
サービスデータフローの送信経路上の複数のネットワークエレメントデバイスにより送信されるサービス品質情報を受信するよう構成された受信モジュールであって、上記サービス品質情報は、上記複数のネットワークエレメントデバイスによる上記サービスデータフローの送信のサービス品質を示すのに用いられ、上記複数のネットワークエレメントデバイスは、基地局デバイス及びコアネットワークデバイスを含む、受信モジュールと、
上記複数のネットワークエレメントデバイスにより送信される上記サービス品質情報に従って、上記サービスデータフローの上記送信経路のサービス品質を判断するよう構成された処理モジュールと、
を備える、
モバイル通信ネットワーク検出装置。
（項目１７）
上記サービスデータフローがアップリンクデータフローである場合、上記基地局デバイスにより送信される上記サービス品質情報は、上記サービスデータフローを伝達する受信済みパケットデータコンバージェンスプロトコルＰＤＣＰデータパケットのサービス品質情報である、
項目１６に記載のモバイル通信ネットワーク検出装置。
（項目１８）
上記サービスデータフローがダウンリンクデータフローである場合、上記基地局デバイスにより送信される上記サービス品質情報は、上記サービスデータフローを伝達する受信済み汎用パケット無線サービストンネリングプロトコルＧＴＰデータパケットのサービス品質情報、及び上記サービスデータフローを伝達する送信済みＰＤＣＰデータパケットのサービス品質情報である、
項目１６又は１７に記載のモバイル通信ネットワーク検出装置。
（項目１９）
上記コアネットワークデバイスにより送信される上記サービス品質情報は、上記サービスデータフローを伝達する上記受信済みＧＴＰデータパケットの上記サービス品質情報である、
項目１６から１８の何れか一項に記載のモバイル通信ネットワーク検出装置。
（項目２０）
上記サービスデータフローがアップリンクデータフローである場合、上記基地局デバイス及び上記コアネットワークデバイスにより送信される上記サービス品質情報は、上記サービスデータフローを伝達する、サービスプロトコルの受信済みデータパケットのサービス品質情報であり、
上記サービスプロトコルは、上記サービスデータフローのサービス属性に基づいている、
項目１６に記載のモバイル通信ネットワーク検出装置。
（項目２１）
上記サービスデータフローがダウンリンクデータフローである場合、上記基地局デバイスにより送信される上記サービス品質情報は、上記サービスデータフローを伝達する、上記サービスプロトコルの複数の送受信済みデータパケットのサービス品質情報であり、上記コアネットワークデバイスにより送信される上記サービス品質情報は、上記サービスデータフローを伝達する、上記サービスプロトコルの上記受信済みデータパケットのサービス品質情報であり、
上記サービスプロトコルは、上記サービスデータフローのサービス属性に基づいている、
項目１６又は２０に記載のモバイル通信ネットワーク検出装置。
（項目２２）
上記サービスプロトコルは、リアルタイムトランスポートプロトコルＲＴＰを含む、
項目２０又は２１に記載のモバイル通信ネットワーク検出装置。
（項目２３）
上記処理モジュールは、上記複数のネットワークエレメントデバイスにより送信される上記サービス品質情報に従って、上記サービスデータフローの上記送信経路上で最も低いサービス品質を有するネットワークエレメントデバイスを判断するよう特に構成される、
項目１６から２２の何れか一項に記載のモバイル通信ネットワーク検出装置。
（項目２４）
上記複数のネットワークエレメントデバイスにより送信される上記サービス品質情報に従って、統計ダイアグラムを生成するよう構成された生成モジュールをさらに備え、
上記統計ダイアグラムは、上記送信経路の上記サービス品質の変化状況を示すのに用いられる、
項目１６から２３の何れか一項に記載のモバイル通信ネットワーク検出装置。
（項目２５）
上記複数のネットワークエレメントデバイスに検出指標情報を送信するよう構成された送信モジュールをさらに備え、
上記検出指標情報は、上記複数のネットワークエレメントデバイスによる上記サービスデータフローの上記送信の上記サービス品質の検出を示すのに用いられる、
項目１６から２４の何れか一項に記載のモバイル通信ネットワーク検出装置。
（項目２６）
上記送信モジュールは、上記検出指標情報を含むエンドツーエンドトレースセッション起動シグナリングをネットワーク制御ネットワークエレメントに送信し、これにより、上記ネットワーク制御ネットワークエレメントは、上記検出指標情報を上記複数のネットワークエレメントデバイスに送信する、又は、
エンドツーエンドトレースセッション起動シグナリングをホーム加入者サーバに送信し、これにより、上記ホーム加入者サーバが上記検出指標情報をネットワーク制御ネットワークエレメントに送信した後に、上記ネットワーク制御ネットワークエレメントは上記検出指標情報を上記複数のネットワークエレメントデバイスに送信するよう特に構成される、
項目２５に記載のモバイル通信ネットワーク検出装置。
（項目２７）
上記エンドツーエンドトレースセッション起動シグナリングは、検出されるネットワークエレメントデバイスについての情報をさらに含み、これにより、上記ネットワーク制御ネットワークエレメントは、検出される上記ネットワークエレメントデバイスに上記検出指標情報を送信する、
項目２６に記載のモバイル通信ネットワーク検出装置。
（項目２８）
上記エンドツーエンドトレースセッション起動シグナリングはジョブタイプ情報要素をさらに含み、上記ジョブタイプ情報要素は、トレースシグナリングメッセージ及び／又は上記検出指標情報を上記ネットワークエレメント管理デバイスに送信するよう上記複数のネットワークエレメントデバイスに命令するのに用いられる、
項目２６又は２７に記載のモバイル通信ネットワーク検出装置。
（項目２９）
上記コアネットワークデバイスは、サービングゲートウェイ及びデータゲートウェイを含む、
項目１６から２８の何れか一項に記載のモバイル通信ネットワーク検出装置。
（項目３０）
上記サービス品質情報は、データパケットのパケット損失率、ジッタ、遅延、又は平均オピニオン評点ＭＯＳ値を含む、
項目１６から２９の何れか一項に記載のモバイル通信ネットワーク検出装置。
【図１】
0006273540.tif 000002
【図２】
0006273540.tif 000003
【図３】
0006273540.tif 000004
【図４】
0006273540.tif 000005
【図５】
0006273540.tif 000006
【図６】
0006273540.tif 000007
【図７】
0006273540.tif 000008
【図８】
0006273540.tif 000009
【図９】
0006273540.tif 000010
【図１０】
0006273540.tif 000011
【図１１】
0006273540.tif 000012
【図１２】
0006273540.tif 000013
【図１３】
0006273540.tif 000014
【図１４】
0006273540.tif 000015
【図１５】
0006273540.tif 000016